(57)【要約】  OLT２は、ONU４からのリンク確認およびデータ蓄積量の確認のための問合せフレームを送信し、ONU４は応答として問合せ応答フレームを返信し、ONU４が、上りトラヒックがない状態となったことを検出すると、その旨を問合せ応答フレームに載せてOLT２に送信し、OLT２は、下りトラヒックを監視し、その監視結果または問合せ応答フレームに基づいて上りまたは下りのトラヒックがない状態となったことを認識すると、ONU４に対し低消費電力モードへの遷移を指示し、ONU４は、当該指示を受信すると、指示内容に対応する機能部を低消費電力モードに遷移させ、また、問合せフレームを所定の時間にわたり受信しない場合には、通信制御を行う機能部以外の機能部を低消費電力モードに遷移させ、OLT２は、前記加入者側装置が低消費電力モードへ遷移している間、前記問合せフレームの送信を停止する。
2010143258.tif 000002
【特許請求の範囲】
【請求項１】
局側装置と１以上の加入者側装置とを備え、当該局側装置が自装置へのリンク確認およびデータ蓄積量の確認のための問合せフレームを送信し、当該加入者側装置が問合せフレームに対する応答である問合せ応答フレームを返信するＰＯＮシステムであって、
前記加入者側装置は、上りトラヒックを監視し、当該上りトラヒックがない状態となったことを検出すると、その旨を問合せ応答フレームに載せて前記局側装置に送信し、
前記局側装置は、下りトラヒックを監視し、受信した問合せ応答フレームまたは下りトラヒックの監視結果に基づいて上りトラヒックまたは下りトラヒックがない状態となったことを認識すると、前記加入者側装置に対し、低消費電力モードへの遷移を指示するための遷移指示フレームを送信し、
前記加入者側装置は、遷移指示フレームを受信した場合に、指示内容に対応する自装置内の機能部を第１の時間にわたり低消費電力モードに遷移させ、また、問合せフレームを第２の時間にわたり受信しない場合には、通信制御を行う機能部以外の機能部を低消費電力モードに遷移させ、
前記局側装置は、前記加入者側装置が低消費電力モードへ遷移している間、問合せフレームの送信を停止する、
ことを特徴とするＰＯＮシステム。
【請求項２】
局側装置と１以上の加入者側装置とを備え、当該局側装置が自装置へのリンク確認およびデータ蓄積量の確認のための問合せフレームを送信し、当該加入者側装置が問合せフレームに対する応答である問合せ応答フレームを返信するＰＯＮシステムであって、
前記局側装置は、上りトラヒックおよび下りトラヒックを監視し、上りトラヒックまたは下りトラヒックがない状態となったことを認識すると、前記加入者側装置に対し、低消費電力モードへの遷移を指示するための遷移指示フレームを送信し、
前記加入者側装置は、遷移指示フレームを受信した場合に、指示内容に対応する自装置内の機能部を第１の時間にわたり低消費電力モードに遷移させ、また、問合せフレームを第２の時間にわたり受信しない場合には、通信制御を行う機能部以外の機能部を低消費電力モードに遷移させ、
前記局側装置は、前記加入者側装置が低消費電力モードへ遷移している間、問合せフレームの送信を停止する、
ことを特徴とするＰＯＮシステム。
【請求項３】
局側装置と１以上の加入者側装置とを備え、当該局側装置が自装置へのリンク確認およびデータ蓄積量の確認のための問合せフレームを送信し、当該加入者側装置が問合せフレームに対する応答である問合せ応答フレームを返信するＰＯＮシステムであって、
前記局側装置は、下りトラヒックを監視し、当該下りトラヒックがない状態となったことを検出すると、その旨を、トラヒックの状態を通知するためのトラヒック通知フレームに含めて前記加入者側装置に送信し、
前記加入者側装置は、上りトラヒックを監視し、受信したトラヒック通知フレームおよび上りトラヒックの監視結果に基づいて、上りトラヒックまたは下りトラヒックがない状態となったことを認識すると、低消費電力モードに遷移する通信方向および機能部を決定し、その旨を通知するための遷移宣言フレームを前記局側装置へ送信し、低消費電力モードに遷移することを決定した自装置内の機能部を第１の時間にわたり低消費電力モードに遷移させ、また、問合せフレームを第２の時間にわたり受信しない場合には、通信制御を行う機能部以外の機能部を低消費電力モードに遷移させ、
前記局側装置は、遷移宣言フレームを受信すると、前記加入者側装置が低消費電力モードへ遷移している間、問合せフレームの送信を停止する、
ことを特徴とするＰＯＮシステム。
【請求項４】
局側装置と１以上の加入者側装置とを備え、当該局側装置が自装置へのリンク確認およびデータ蓄積量の確認のための問合せフレームを送信し、当該加入者側装置が問合せフレームに対する応答である問合せ応答フレームを返信するＰＯＮシステムであって、
前記加入者側装置は、上りトラヒックおよび下りトラヒックを監視し、上りトラヒックまたは下りトラヒックがない状態となったことを認識すると、低消費電力モードに遷移する通信方向および機能部を決定し、その旨を通知するための遷移宣言フレームを前記局側装置へ送信し、低消費電力モードに遷移させることを決定した自装置内の機能部を第１の時間にわたり低消費電力モードに遷移させ、また、問合せフレームを第２の時間にわたり受信しない場合には、通信制御を行う機能部以外の機能部を低消費電力モードに遷移させ、
前記局側装置は、遷移宣言フレームを受信すると、前記加入者側装置が低消費電力モードへ遷移している間、問合せフレームの送信を停止する、
ことを特徴とするＰＯＮシステム。
【請求項５】
前記局側装置は、下りトラヒックのみがない状態となったことを認識すると、低消費電力モードに遷移する時間、および前記加入者側装置に対して与えるべき最低帯域または当該加入者側装置の上りトラヒックの統計情報に基づいて、当該加入者側装置に対する送信許可を付与し、当該送信許可を送信する、
ことを特徴とする請求項１〜４のいずれか１つに記載のＰＯＮシステム。
【請求項６】
前記加入者側装置は、上りトラヒックに関する機能部を低消費電力モードに遷移している間に、自装置において緊急性のある上りトラヒックが発生したことを検出した場合に、当該低消費電力モードを解除し、受信した問合せフレームに対して問合せ応答フレームを返信することで緊急性のある上りトラヒックの送信許可を得る、
ことを特徴とする請求項１〜５のいずれか１つに記載のＰＯＮシステム。
【請求項７】
前記加入者側装置は、
上りトラヒックおよび下りトラヒックがいずれもない状態となったことを認識すると、上りトラヒックおよび下りトラヒックに関する機能部を低消費電力モードに遷移させ、
上りトラヒックのみがない状態となったことを認識すると、上りトラヒックに関する機能部、および通信制御を行う機能部を低消費電力モードに遷移させ、
下りトラヒックのみがない状態となったことを認識すると、下りトラヒックに関する機能部および通信制御を行う機能部を低消費電力モードに遷移させる、
ことを特徴とする請求項１〜６のいずれか１つに記載のＰＯＮシステム。
【請求項８】
局側装置と１以上の加入者側装置とを備えるＰＯＮシステムにおいて、リンク確認およびデータ蓄積量の確認のための問合せフレームを送信し、当該問合せフレームに対する応答として受信する問合せ応答フレームを処理する前記局側装置であって、
下りトラヒックを監視する下りトラヒック監視手段と、
前記加入者側装置から受信した問合せ応答フレームまたは前記トラヒック監視手段による下りトラヒックの監視結果に基づいて上りトラヒックまたは下りトラヒックがない状態となったことを認識した場合に、前記加入者側装置を第１の時間にわたり低消費電力モードに遷移させることを決定する低消費化決定手段と、
低消費電力モードへの遷移を指示するための遷移指示フレームを前記加入者側装置に対して送信するための制御、および、前記加入者側装置が低消費電力モードへ遷移している間、問合せフレームの送信を停止するための制御、を行う制御手段と、
を備えることを特徴とする局側装置。
【請求項９】
局側装置と１以上の加入者側装置とを備えるＰＯＮシステムにおいて、リンク確認およびデータ蓄積量の確認のための問合せフレームを送信し、当該問合せフレームに対する応答として受信する問合せ応答フレームを処理する前記局側装置であって、
下りトラヒックを監視する下りトラヒック監視手段と、
上りトラヒックを監視する上りトラヒック監視手段と、
前記下りトラヒック監視手段または前記上りトラヒック監視手段の監視結果に基づいて、上りトラヒックまたは下りトラヒックがない状態となったことを認識した場合に、前記加入者側装置を第１の時間にわたり低消費電力モードに遷移させることを決定する低消費化決定手段と、
低消費電力モードへの遷移を指示するための遷移指示フレームを前記加入者側装置に対して送信するための制御、および、前記加入者側装置が低消費電力モードへ遷移している間、問合せフレームの送信を停止するための制御、を行う制御手段と、
を備えることを特徴とする局側装置。
【請求項１０】
局側装置と１以上の加入者側装置とを備えるＰＯＮシステムにおいて、リンク確認およびデータ蓄積量の確認のための問合せフレームを送信し、当該問合せフレームに対する応答として受信する問合せ応答フレームを処理する前記局側装置であって、
前記データ蓄積量に基づいて下りトラヒックの有無を監視する下りトラヒック監視手段と、
前記下りトラヒック監視手段の監視結果に基づいて、トラヒックの状態を通知するためのトラヒック通知フレームを前記加入者側装置へ送信するための制御を行い、また、前記加入者側装置から、低消費電力モードに遷移する旨を宣言するための遷移宣言フレームを受信した場合に、当該加入者側装置が低消費電力モードへ遷移している間、問合せフレームの送信を停止するための制御、を行う制御手段と、
を備えることを特徴とする局側装置。
【請求項１１】
局側装置と１以上の加入者側装置とを備えるＰＯＮシステムにおいて、リンク確認およびデータ蓄積量の確認のための問合せフレームを送信し、当該問合せフレームに対する応答として受信する問合せ応答フレームを処理する前記局側装置であって、
前記加入者側装置から、低消費電力モードに遷移する旨を宣言するための遷移宣言フレームを受信した場合に、当該加入者側装置が低消費電力モードへ遷移している間、問合せフレームの送信を停止するための制御、を行う制御手段、
を備えることを特徴とする局側装置。
【請求項１２】
前記制御手段は、下りトラヒックのみがない状態となったことを認識すると、低消費電力モードに遷移させる時間、および、前記加入者側装置に対して与えるべき最低帯域または当該加入者側装置の上りトラヒックの統計情報に基づいて、当該加入者側装置に対する送信許可を付与し、当該送信許可を送信する制御を行う、
ことを特徴とする請求項８〜１１のいずれか１つに記載の局側装置。
【請求項１３】
局側装置と１以上の加入者側装置とを備えるＰＯＮシステムにおいて、当該局側装置からリンク確認およびデータ蓄積量の確認のための問合せフレームを受信した場合に、当該問合せフレームに対する応答として問合せ応答フレームを送信する前記加入者装置であって、
上りトラヒックを監視する上りトラヒック監視手段と、
前記トラヒック監視手段が上りトラヒックがない状態となったことを検出した場合に、その旨を問合せ応答フレームに載せて前記局側装置に送信するための制御を行う制御手段と、
前記局側装置から、低消費電力モードへの遷移を指示するための遷移指示フレームを受信した場合に、指示内容に対応する自装置内の機能部を第１の時間にわたり低消費電力モードに遷移させ、また、問合せフレームを第２の時間にわたり受信しない場合には、通信制御を行う機能部以外の機能部を低消費電力モードに遷移させる低消費化ブロック決定手段と、
を備えることを特徴とする加入者側装置。
【請求項１４】
局側装置と１以上の加入者側装置とを備えるＰＯＮシステムにおいて、当該局側装置からリンク確認およびデータ蓄積量の確認のための問合せフレームを受信した場合に、当該問合せフレームに対する応答として問合せ応答フレームを送信する前記加入者装置であって、
前記局側装置から、低消費電力モードへの遷移を指示するための遷移指示フレームを受信した場合に、指示内容に対応する自装置内の機能部を第１の時間にわたり低消費電力モードに遷移させ、また、問合せフレームを第２の時間にわたり受信しない場合には、通信制御を行う機能部以外の機能部を低消費電力モードに遷移させる低消費化ブロック決定手段、
を備えることを特徴とする加入者側装置。
【請求項１５】
局側装置と１以上の加入者側装置とを備えるＰＯＮシステムにおいて、当該局側装置からリンク確認およびデータ蓄積量の確認のための問合せフレームを受信した場合に、当該問合せフレームに対する応答として問合せ応答フレームを送信する前記加入者装置であって、
上りトラヒックを監視する上りトラヒック監視手段と、
前記局側装置から受信するトラヒックの状態を通知するためのトラヒック通知フレーム、および前記上りトラヒック監視手段による上りトラヒックの監視結果に基づいて、自装置内の機能部を第１の時間にわたり低消費電力モードに遷移させ、また、問合せフレームを第２の時間にわたり受信しない場合には、通信制御を行う機能部以外の機能部を低消費電力モードに遷移させる低消費化ブロック決定手段と、
を備えることを特徴とする加入者側装置。
【請求項１６】
局側装置と１以上の加入者側装置とを備えるＰＯＮシステムにおいて、当該局側装置からリンク確認およびデータ蓄積量の確認のための問合せフレームを受信した場合に、当該問合せフレームに対する応答として問合せ応答フレームを送信する前記加入者装置であって、
上りトラヒックを監視する上りトラヒック監視手段と、
下りトラヒックを監視する下りトラヒック監視手段と、
前記下りトラヒック監視手段および前記上りトラヒック監視手段による監視結果に基づいて、自装置内の機能部を第１の時間にわたり低消費電力モードに遷移させ、また、問合せフレームを第２の時間にわたり受信しない場合には、通信制御を行う機能部以外の機能部を低消費電力モードに遷移させる低消費化ブロック決定手段と、
を備えることを特徴とする加入者側装置。
【請求項１７】
上りトラヒックに関する機能部を前記低消費電力モードに遷移している間に、自装置において緊急性のある上りトラヒックが発生したことを検出した場合に、機能部の低消費電力モードへの遷移を解除する低消費指示解除手段、
をさらに備え、
前記制御手段は、自装置が受信する問合せフレームに対して問合せ応答フレームを返信することで前記緊急性のある上りトラヒックの送信許可を得る、
ことを特徴とする請求項１３〜１６のいずれか１つに記載の加入者側装置。
【請求項１８】
前記低消費化ブロック決定手段は、
上りトラヒックおよび下りトラヒックがいずれもない状態となったことを認識すると、上りトラヒックおよび下りトラヒックに関する機能部を低消費電力モードに遷移させることを決定し、
上りトラヒックのみがない状態となったことを認識すると、上りトラヒックに関する機能部および通信制御を行う機能部を低消費電力モードに遷移させることを決定し、
下りトラヒックのみがない状態となったことを認識すると、下りトラヒックに関する機能部および通信制御を行う機能部を低消費電力モードに遷移させることを決定する、
ことを特徴とする請求項１３〜１７のいずれか１つに記載の加入者側装置。
【発明の詳細な説明】
【技術分野】
【０００１】
本発明は、Ethernet（登録商標）技術を用いたPON（Passive  Optical  Network）システムに関する。
【背景技術】
【０００２】
従来、局とユーザ宅を接続するアクセス網において、高速性および経済性を達成できることから、FTTH（Fiber  To  The  Home）の一方式であるPONシステムが急速に普及している。PONシステムでは、局側装置（OLT：Optical  Line  Termination）に対し、複数の光ファイバに信号出力を分岐させる光スプリッタを介して、複数の加入者側装置（ONU：Optical  Network  Unit）が接続される。ONUに対しては、LANケ−ブルを介してTE（Terminal  Equipment）が接続される。TEは、たとえば、HGW（Home  Gate  Way），VoIP−TA（Voice  over  Internet  Protocol−Terminal  Adapter），PC、などである。【０００３】
ところで、ユーザ宅内に設置されるONUは、光電話などのリアルタイム性が必要とされるサービスを提供するため、データ通信を行わない場合（待機時）であっても、常にOLTやTEとのリンクを確立する必要があり、ONUの消費電力が大きいという問題があった。【０００４】
上記の問題を解決するために、下記特許文献１では、PDS（パッシブダブルスター）構成の呼毎制御において、端末回線終端装置ごとに特定パターンを設定することとし、着信の際には、当該端末回線終端装置が、局内回線終端装置から送信される特定パターンと、自身内の設定（登録）パターンとを比較し、一致した場合にのみ着信動作を行う構成とすることで、不要な消費電力を抑制する方法が開示されている。【０００５】
また、下記特許文献２では、ATM（Asynchronus  Transfer  Mode：非同期伝送方式）装置におけるモデムと回線カードとの間で有効なデータの授受が無い場合には、モデムおよび回線カードの送信部の機能を停止させることにより、不要な消費電力を抑制する方法が開示されている。【０００６】
また、下記特許文献３では、PONシステムのONUにおいて、論理リンクおよび物理リンクの状態を監視し、リンクが切断されている状態では、ONU内の搭載回路を低消費電力モードに制御する方法が開示されている。【０００７】
【特許文献１】特開平９−６４９０３号公報
【特許文献２】特開２００４−６４４５８号公報
【特許文献３】特開２００８−１１３１９３号公報
【発明の開示】
【発明が解決しようとする課題】
【０００８】
しかしながら、上記特許文献１および２の方法によれば、通信を行うための所定の条件を満たす場合のみ動作するため、局内回線終端装置と加入者回線終端装置の間でのリンク状態を維持する事ができない、という問題があった。【０００９】
また、上記特許文献３の方法では、低消費電力モードへ遷移するためのトリガとしてリンクの有無のみを基準とするため、リンクは確立しているがユーザデータがない場合を想定しておらず、当該ケースの消費電力低減動作が示されていない、という問題があった。【００１０】
本発明は、上記に鑑みてなされたものであって、OLTとONUのリンクを維持したまま、ONUの低消費電力化を実行可能なPONシステムを得ることを目的とする。
【課題を解決するための手段】
【００１１】
上述した課題を解決し、目的を達成するために、本発明は、局側装置と１以上の加入者側装置とを備え、当該局側装置が自装置へのリンク確認およびデータ蓄積量の確認のための問合せフレームを送信し、当該加入者側装置が問合せフレームに対する応答である問合せ応答フレームを返信するＰＯＮシステムであって、前記加入者側装置は、上りトラヒックを監視し、当該上りトラヒックがない状態となったことを検出すると、その旨を問合せ応答フレームに載せて前記局側装置に送信し、前記局側装置は、下りトラヒックを監視し、受信した問合せ応答フレームまたは下りトラヒックの監視結果に基づいて上りトラヒックまたは下りトラヒックがない状態となったことを認識すると、前記加入者側装置に対し、低消費電力モードへの遷移を指示するための遷移指示フレームを送信し、前記加入者側装置は、遷移指示フレームを受信した場合に、指示内容に対応する自装置内の機能部を第１の時間にわたり低消費電力モードに遷移させ、また、問合せフレームを第２の時間にわたり受信しない場合には、通信制御を行う機能部以外の機能部を低消費電力モードに遷移させ、前記局側装置は、前記加入者側装置が低消費電力モードへ遷移している間、問合せフレームの送信を停止する、ことを特徴とする。
【発明の効果】
【００１２】
本発明にかかるPONシステムは、リンクを維持したまま加入者側装置の消費電力を低減可能となる、という効果を奏する。
【図面の簡単な説明】
【００１３】
【図１】図１は、実施の形態１のＰＯＮシステムの構成例を示す図である。
【図２】図２は、実施の形態２のＰＯＮシステムの構成例を示す図である。
【図３】図３は、実施の形態３のＰＯＮシステムの構成例を示す図である。
【図４】図４は、実施の形態４のＰＯＮシステムの構成例を示す図である。
【符号の説明】
【００１４】
１  上位装置
２，２Ｂ，２Ｃ，２Ｄ  OLT
３  スプリッタ
４，４Ｂ，４Ｃ，４Ｄ  ONU
１０  TE
２１  バッファ部
２２  フレーム多重部
２３  光送信部
２４  光受信部
２５  フレーム分離部
２６  ＰＯＮ制御部
２７  下りトラヒック監視部
２８  リンク管理部
２９  低消費化決定部
３０  上りトラヒック監視部
４１  バッファ部
４２  フレーム多重部
４３  光送信部
４４  光受信部
４５  フレーム分離部
４６  ＰＯＮ制御部
４７  上りトラヒック監視部
４８，４８Ｃ  低消費化ブロック決定部
４９  低消費化指示・解除部
５０  下りトラヒック監視部
【発明を実施するための最良の形態】
【００１５】
以下に、本発明にかかるＰＯＮシステムの実施の形態を図面に基づいて詳細に説明する。なお、この実施の形態によりこの発明が限定されるものではない。【００１６】
実施の形態１．
図１は、本実施の形態のＰＯＮシステムの構成例を示す図である。図１のPONシステムは、上位装置１と、局側装置であるOLT２と、スプリッタ３と、加入者側装置であるONU４と、TE１０とを構える。図１では、ONU４およびTE１０は、ひとつずつのみ示すが、実際には複数が接続可能である。上位装置１は、ネットワーク側に設置されるOLT２を管理する。スプリッタ３は、OLT２からの光信号を分岐してONU４に送信する。TE１０は、たとえば、ＨＧＷ，ＶｏＩＰ−ＴＡ，ＰＣなどである。【００１７】
OLT２は、バッファ部２１と、フレーム多重部２２と、光送信部２３と、光受信部２４と、フレーム分離部２５と、ＰＯＮ制御部２６と、下りトラヒック監視部２７と、リンク管理部２８と、低消費化決定部２９とを備える。バッファ部２１は、上位装置１から受信するデータを一時的に蓄積する。フレーム多重部２２は、ユーザフレームと制御フレームとを多重する。光送信部２３は、フレーム多重部２２から出力される電気信号を光信号へ変換してONU４へ向けて送信する。光受信部２４は、ONU４からの光信号を受信して電気信号へ変換する。フレーム分離部２５は、制御フレームとユーザフレームとを分離する。PON制御部２６は、OLT２とONU４との間で送受信する制御フレームを処理する。下りトラヒック監視部２７は、下りトラヒックの有無を監視する。リンク管理部２８は、ONU４との間のリンク状態を管理する。低消費化決定部２９は、低消費電力化するONUおよび通信方向を決定する。【００１８】
ONU４は、バッファ部４１と、フレーム多重部４２と、光送信部４３と、光受信部４４と、フレーム分離部４５と、ＰＯＮ制御部４６と、上りトラヒック監視部４７と、低消費化ブロック決定部４８と、低消費指示・解除部４９とを備える。バッファ部４１は、TE１０からのデータを一時的に蓄積する。フレーム多重部４２は、ユーザフレームと制御フレームとを多重する。光送信部４３は、自ONUからの電気信号を光信号へ変換してOLT２へ向けて送信する。光受信部４４は、OLT２からの光信号を受信して電気信号へ変換する。フレーム分離部４５は、制御フレームとユーザフレームとを分離する。PON制御部４６は、ONU４とOLT２との間で送受信する制御フレームを処理する。上りトラヒック監視部４７は、バッファ部４１のデータ量を監視することで上りトラヒックを監視する。低消費化ブロック決定部４８は、低消費電力化するブロックを決定する。低消費指示・解除部４９は、低消費化ブロック決定部４８により決定されたブロックに対し、低消費電力化の指示または解除を行う。【００１９】
このPONシステムでは、従来の動作として、リンクを維持するために定期的に、OLT２のPON制御部２６およびONU４のPON制御部４６の間で、制御フレーム（後述）をやり取りしてその内容を確認し、リンクが維持されている場合にのみデータ通信を行う。【００２０】
つづいて、以上のように構成されたPONシステムの動作について説明する。以下、PON区間のリンクの状態と、上りおよび下りトラヒックの状態とに基づいて、場合を分けて説明する。【００２１】
（ケース１−１）PON区間のリンクが確立された状態であって、かつ、上り下りともにトラヒックがない場合。
ONU４の上りトラヒック監視部４７は、バッファ部４１を監視することでTE１０からの上りトラヒックを監視し、所定の時間にわたって蓄積データ量がないことにより、TE１０からの上りトラヒックがないことを検出する。この場合、上りトラヒック監視部４７は、PON制御部４６に上りトラヒックがない旨を通知する。一方、OLT２は、従来の動作として、定期的に、リンク確認および上り帯域割当算出を目的とした蓄積データ量の問合せを行う制御フレーム（以下、「問合せフレーム」という）を送信する。光受信部４４およびフレーム分離部４５を介して当該問合せフレームを受信すると、PON制御部４６は、バッファ部４１から通知される蓄積データ量を含めた制御フレームを送信する（以下、「問合せ応答フレーム」という）。ここでは、上りトラヒック監視部４７から上りトラヒックがない旨を通知されるので、PON制御部４６は、その旨を当該制御フレームにさらに含める。【００２２】
OLT２の低消費化決定部２９は、問合せ応答フレームを光受信部２４およびフレーム分離部２５を介して受信する。また、下りトラヒック監視部２７は、バッファ部２１のデータ蓄積状態を監視し、一定時間にわたりONU４宛のデータがない場合には、ONU４宛のトラヒックがない旨を低消費化決定部２９に通知する。以上により、低消費化決定部２９は、ONU４において蓄積データがない旨およびONU４宛のトラヒックがない旨を通知されるので、ONU４との間で上りおよび下りのトラヒックがないと判断し、ONU４を上り・下りの両方向とも低消費電力モードへ遷移させることを決定し、その旨を通知するようPON制御部２６に指示する。PON制御部２６は、当該通知の内容（低消費電力モードへ遷移する旨，および遷移させる通信方向）を含めた制御フレーム（以下、「遷移指示フレーム」ともいう）を、フレーム多重部２２および光送信部２３を介して、ONU４へ送信する。【００２３】
ONU４の低消費化ブロック決定部４８は、光受信部４４およびフレーム分離部４５を介して当該遷移指示フレームを受信する。低消費化ブロック決定部４８は、当該遷移指示フレームにおける指示、すなわち、自ONUの上りおよび下りを低消費電力モードへ遷移させる旨の指示にしたがい、OLT２からのデータを受信してTE１０へ送信するブロック，TE１０からのデータを受信してOLT２へ送信するブロック，OLT２との通信制御に必要なブロック、を低消費電力モードへ遷移させる。すなわち、低消費化ブロック決定部４８は、フレーム多重部４２，光送信部４３，光受信部４４，フレーム分離部４５，PON制御部４６，上りトラヒック監視部４７，低消費化ブロック決定部４８、を低消費電力モードへ遷移させるブロックと決定し、その旨を低消費指示・解除部４９に通知する。【００２４】
低消費指示・解除部４９は、たとえば、予めPONシステムにおいて決定されONU４内に設定された時間を指定して、上記のブロックに対し低消費電力モードへ遷移するよう指示する。以下、ONU４における当該「時間」を、「低消費電力稼働時間」ともいう。なお、OLT２が送信する遷移指示フレーム内に、当該時間を指示する、としてもよい。【００２５】
ところで、OLT２のPON制御部２６は、上記遷移指示フレームの指示によって、ONU４が低消費電力モードに遷移している間、OLT２とONU４との通信が中断することが予想できる。このため、PON制御部２６は、ONU４との間のリンクを断としないように、予めPONシステムで決定され自OLT内に設定された時間（または、自OLTから送信した遷移指示フレームで指定した時間）が経過するまで、リンクを監視する処理を停止する。すなわち、該当ONU（ONU４）への定期的な問合せフレーム送信を停止し、リンク管理部２８が保持するリンク状態を維持する。【００２６】
この間、OLT２では、上位装置１から該当ONU（ONU４）宛のトラヒックが到着した場合には、バッファ部２１に蓄積させておく。【００２７】
同様に、ONU４では、TE１０からOLT２宛のトラヒックが到着した場合には、バッファ部４１に蓄積させておく。【００２８】
ONU４において低消費電力モード稼働時間が満了すると、ONU４の低消費指示・解除部４９は、上記各ブロックに対して低消費電力モードを解除する指示を送信し、各ブロックを活性化させる。また、OLT２において低消費電力モード稼働時間が満了すると、OLT２のPON制御部２６は、該当ONU（ONU４）への定期的な問い合わせを再開させることで、リンク監視を再開させる。【００２９】
これにより、ONU４において上下トラヒックがない場合に、OLT２とのリンクを維持したままOLT２との通信に不要なブロックを低消費電力化することが可能となる。また、ONU４が低消費電力モードで稼働中に発生したトラヒックについても、下りトラヒックはOLT２のバッファ部２１で、上りトラヒックはONU４のバッファ部４１で蓄積し、再開時に送受信することとするので、フレームロスの発生を回避しつつ、低消費電力モードで稼動できる。【００３０】
（ケース１−２）PON区間のリンクが確立された状態であって、かつ、下りトラヒックのみがない場合。
つぎに、下りトラヒックのみが停止した場合の動作について説明する。OLT２の下りトラヒック監視部２７は、バッファ部２１のデータ蓄積状態を監視し、ONU４宛のデータ一定時間にわたってない場合には、ONU４宛の下りトラヒックがない旨を低消費化決定部２９に通知する。また、低消費化決定部２９は、上述のように送信されるONU４からの問合せ応答フレームを参照し、ONU４に蓄積データがあることを認識している。以上により、OLT２の低消費化決定部２９は、ONU４に対する下りトラヒックのみがないと判断する。したがって、低消費化決定部２９は、自装置からONU４への下り方向を低消費電力モードへ遷移させることを決定し、その旨を通知するようPON制御部２６に指示する。PON制御部２６は、当該通知の内容を含めた遷移指示フレームを、フレーム多重部２２および光送信部２３を介して、ONU４へ送信する。【００３１】
ONU４の低消費化ブロック決定部４８は、光受信部４４およびフレーム分離部４５を介して当該遷移指示フレームを受信すると、OLT２からのデータを受信してTE１０へ送信するブロック、およびOLT２との通信制御に必要なブロックを低消費電力モードへ遷移させることを決定する。すなわち、低消費化ブロック決定部４８は、光受信部４４，フレーム分離部４５，PON制御部４６，上りトラヒック監視部４７，低消費化ブロック決定部４８、を低消費電力モードへ遷移させるブロックとして決定し、その旨を低消費指示・解除部４９に通知する。【００３２】
低消費指示・解除部４９は、該当ブロックに対して、上記低消費電力稼動時間を指定し、低消費電力モードへ遷移するよう指示する。【００３３】
また、OLT２のPON制御部２６は、上記遷移指示フレームの指示によって、ONU４が低消費電力モードに遷移している間、OLT２とONU４との通信が中断することが予想できる。このため、PON制御部２６は、ONU４との間のリンクを断としないように、予めPONシステムで決定され自OLT内に設定された時間（または、自OLTから送信した遷移指示フレームで指定した時間）が経過するまで、リンクを監視する処理を停止する。すなわち、該当ONU（ONU４）への定期的な問合せフレーム送信を停止し、リンク管理部２８が保持するリンク状態を維持する。【００３４】
ところで、下りトラヒックに関するブロックとともに、OLT２との間の制御情報のやり取りに関するブロックを低消費電力モードに遷移させることにより、ONU４は、上りトラヒックが発生しても制御情報を送信できないため、上りの送信許可が得られないこととなる。これに対する対応として、OLT２のPON制御部２６は、上記低消費電力稼動時間などに応じて、自身が保持するこれまでの統計情報や、PONシステムにおける最低帯域保障情報などを用いて、将来の上り送信許可をONU４へ送信しておく。また、ONU４が低消費電力モードに遷移している間、OLT２では、上位装置１から該当ONU（ONU４）宛のトラヒックが到着した場合には、バッファ部２１に蓄積させておく。【００３５】
ONU４における低消費電力稼働時間が満了すると、ONU４の低消費指示・解除部４９は、上記各ブロックに対して低消費電力モード解除を指示し、各ブロックを活性化させる。一方、OLT２では、ONU４が低消費電力モードへ遷移している時間が満了すると、リンク管理部２８が、該当ONU（ONU４）への定期的な問合せフレーム送信のPON制御部２６への指示を再開することで、リンク監視を再開させる。【００３６】
これにより、下りトラヒックがない場合において、リンクを維持し、かつ、上りトラヒックの送信許可を予め与えることで、下りトラヒックの伝送に不要なブロックを低消費電力化することが可能となる。また、低消費電力モードへ遷移している間に発生する下りトラヒックをOLT２のバッファ部２１が蓄積し、下りトラヒックの再開時に送信することとしたので、フレームロスの発生を回避できる。【００３７】
（ケース１−３）PON区間のリンクが確立された状態であって、かつ、上りトラヒックのみがない場合。
つぎに、上りトラヒックのみが停止した場合の動作について説明する。上述同様に、ONU４のバッファ部４１は、データ蓄積量をPON制御部４６に通知する。また、上りトラヒック監視部４７は、TE１０からの上りトラヒックを監視し、一定時間にわたりTE１０からの上りトラヒックがないことを検出すると、その旨をPON制御部４６に通知する。また、PON制御部４６は、光受信部４４およびフレーム分離部４５を介してOLT２から問合せフレームを受信すると、バッファ部４１から通知されるデータ蓄積量を含めた問合せ応答フレームを作成する。ここで、PON制御部４６は、上りトラヒック監視部４７からの通知により、上りトラヒックがない旨をさらに含めて、問合せ応答フレームを返信する制御を行う。【００３８】
OLT２の低消費化決定部２９は、光受信部２４およびフレーム分離部２５を介して上記問合せ応答フレームを受信すると、ONU４において蓄積データ量がないことを認識する。一方、下りトラヒック監視部２７は、下りトラヒックがないとは検出しない。したがって、低消費化決定部２９は、ONU４からの上りトラヒックのみがないと判断し、ONU４からの上り方向について低消費電力モードへ遷移することを決定し、その旨を通知するようPON制御部２６に指示する。PON制御部２６は、上り方向について低消費電力モードへ遷移する旨を指示する遷移指示フレームを、ONU４へ送信する。【００３９】
ONU４の低消費化ブロック決定部４８は、光受信部４４およびフレーム分離部４５を介して当該遷移指示フレームを受信すると、TE１０からのデータを受信してOLT２へ送信するブロックおよび、OLT２との通信制御に必要なブロックを、低消費電力モードへ遷移させることを決定する。すなわち、フレーム多重部４２および光送信部４３（送信処理に関するブロック）と、PON制御部４６，上りトラヒック監視部４７，低消費化ブロック決定部４８（通信制御に関するブロック）、を低消費電力モードへ遷移させるブロックとして決定し、その旨を低消費指示・解除部４９に通知する。【００４０】
低消費指示・解除部４９は、該当ブロックに対して、上記低消費電力稼動時間を指定し、低消費電力モードへ遷移するよう指示する。【００４１】
また、OLT２のPON制御部２６は、上記遷移指示フレームの指示によって、ONU４が低消費電力モードに遷移している間、OLT２とONU４との通信が中断することが予想できる。このため、PON制御部２６は、ONU４との間のリンクを断としないように、予めPONシステムで決定され自OLT内に設定された時間（または、自OLTから送信した遷移指示フレームで指定した時間）が経過するまで、リンクを監視する処理を停止する。すなわち、該当ONU（ONU４）への定期的な問合せフレーム送信を停止し、リンク管理部２８が保持するリンク状態を維持する。【００４２】
低消費電力稼働時間が経過するまで、ONU４においてTE１０からOLT２へ宛てたトラヒックが到着した場合には、バッファ部４１がトラヒックを蓄積する。ONU４における低消費電力稼働時間が満了すると、ONU４の低消費指示・解除部４９は、上記各ブロックに対して低消費電力モード解除を指示し、各ブロックを活性化させる。一方、OLT２において、ONU４が低消費電力モードへ遷移している時間が満了すると、リンク管理部２８は、該当ONU（ONU４）への定期的な問合せフレーム送信の指示を再開することでリンク監視を再開させる。【００４３】
これにより、ONUからの上りトラヒックがない場合には、ONU〜OLT間のリンクを維持したまま、ONUからOLTへの上り方向の通信に不要なブロックを低消費電力化することが可能となる。また、低消費電力モードへ遷移している間に発生する上りトラヒックは、ONUのバッファ部に蓄積し、通信再開時に送信することとしたため、フレームロスを回避できる。【００４４】
なお、上記上りのみトラヒックが停止した場合の動作では、OLTから該当ONUへの定期的な問合せ処理を停止させることとしたが、リンク管理部が保持するリンクを維持しつつ、定期的な問合せを継続して実施してもよい。この場合にも、問合せフレームは定期的に送信され、光受信部４４やフレーム分離部４５がこれを受信している。そして、バッファ部４１は、自身内に緊急を要すトラヒックが到着した場合は、その旨を低消費化指示・解除部４９に通知し、これを受けた低消費指示・解除部４９が、各部に低消費電力モードの解除を指示する。こうすることで、活性化したPON制御部４６が、OLT２からの問合せフレームをフレーム分離部４５から受信し、当該問合せフレームに対して問合せ応答フレームを返信することにより上り送信許可を得ることができる。これにより、ONU４は、緊急の場合には、予め決められた時間が満了するより早く低消費電力モードから脱して、上りデータを送信することが可能である。【００４５】
（ケース１−４）PON区間のリンクが断である場合
最後に、OLT２とのリンクが断となった場合の動作について説明する。OLT２とONU４との間では、リンクを維持するために、定期的にお互いのPON制御部からの問合せフレームおよび問合せ応答フレームをやり取りしてその内容を確認し、リンクが維持されている場合にのみデータ通信を行う。【００４６】
ONU４の低消費化ブロック決定部４８は、一定の時間にわたり上記問合せフレームを検出しない場合には、リンクを確認できないので、OLT２との通信制御に必要なブロックである、フレーム多重部４２，光送信部４３，光受信部４４，フレーム分離部４５，PON制御部４６、のみを残し、他のブロックを低消費電力モードへ遷移させるブロックに決定し、その旨を低消費指示・解除部４９に通知する。【００４７】
ONU４の低消費指示・解除部４９は、PONのリンク（OLT２との間のリンク）が回復するまで、該当のブロックに対し低消費電力モードへ遷移するよう指示する。低消費化ブロック決定部４８は、リンクが回復し、光受信部４４およびフレーム分離部４５を介してOLT２からの問合せフレームを受信すると、遷移解除の指示を発行し、これを受けた低消費指示・解除部４９が、各部を活性化させる指示を出す。これにより、OLT２とのリンクを回復可能な状態を維持したまま、リンクがない状態に応じた低消費電力効果が得られる。【００４８】
以上説明したように、本実施の形態では、ONUからOLTへの上りトラヒックをONUが監視してOLTに報告し、下りトラヒックをOLTが監視することとし、これらの監視結果により、OLTにおいて低消費電力モードへ遷移させるONUおよび通信方向を決定し、ONUに指示する構成とした。また、これを受けたONUが、指定された通信方向に応じた機能部を一定時間にわたり低消費電力モードへ遷移させる構成とした。また、OLTにおいて、当該一定時間が経過するまではリンク確認の処理を停止させ、リンク断とみなされることを回避する構成とした。さらに、ONUにおいてリンクが確認できない場合には、リンクを行う機能を維持したまま、その他の機能を低消費電力モードへ遷移させる構成とした。これにより、OLTとONUとの間のリンクを維持したまま、またはリンク可能な状態を維持したままで、ONUにおける消費電力を低減させることが可能となる。【００４９】
実施の形態２．
実施の形態１では、OLTにおいてONUとの間の上り方向および下り方向のトラヒックを監視し、ONUからの上り方向トラヒックについては、ONUが監視し、OLTに報告することとした。本実施の形態では、上りトラヒックをOLTにおいて監視する場合を説明する。【００５０】
図２は、本実施の形態におけるPONシステムの構成例を示す図である。図２の構成は、図１の構成と比較すると、OLT２に代えてOLT２Ｂを備え、ONU４に代えてONU４Ｂを備える。ONU４Ｂは、上りトラヒック監視部４７を備えず、代わりに、OLT２が上りトラヒック監視部３０を備える。上りトラヒック監視部３０は、ONU４Ｂからの上りトラヒックを監視する目的で設けられる。【００５１】
OLT２の上りトラヒック監視部３０は、光受信部２４およびフレーム分離部２５を介して上位装置１へ転送されるユーザフレームを監視する。これにより、トラヒック監視部３０は、図１の上りトラヒック監視部４７と同等の機能を果たす。【００５２】
つづいて、以上のように構成されたPONシステムにおける動作について説明する。ここでは、ONU４ＢからOLT２Ｂへの上りトラヒックのみが停止した場合を例に説明する。【００５３】
OLT２Ｂの上りトラヒック監視部３０は、光受信部２４およびフレーム分離部２５を介して上位装置１へ転送されるユーザフレームを監視し、一定期間にわたりユーザフレームを検出しない場合には、上りトラヒックがないと判断して、その旨を低消費化決定部２９に通知する。これを受けた低消費化決定部２９は、該当のONU（ONU４Ｂ）に対する上り方向のみを低消費電力モードへ遷移させることを決定し、その旨を通知するようPON制御部２６に指示する。PON制御部２６は、上り方向について低消費電力モードへ遷移すべき旨を指示する遷移指示フレームを、ONU４Ｂへ送信する。【００５４】
ONU４Ｂでは、実施の形態１の「ケース１−３」同様に、低消費電力モードへ遷移させる処理を行う。その後も、上述同様、ONU４Ｂにおける低消費電力稼働時間が満了すると、ONU４Ｂの低消費指示・解除部４９は、低消費電力モード解除を指示し、各ブロックを活性化させる。一方、OLT２Ｂにおいて、ONU４Ｂが低消費電力モードへ遷移している時間が満了すると、PON制御部２６は、該当ONU（ONU４）への定期的な問い合わせを再開することでリンク監視を再開させる。【００５５】
以上説明したように、本実施の形態では、ONUからOLTへの上りトラヒックおよび、OLTからONUへの下りトラヒックの双方をOLTが監視することとし、これらの監視結果により、OLTにおいて低消費電力モードへ遷移させるONUおよび通信方向を決定し、ONUに指示する構成とした。この場合にも、実施の形態１と同様、OLTとONUとの間のリンクを維持したまま、またはリンク可能な状態を維持したままで、ONUにおける消費電力を低減させることが可能となる。【００５６】
実施の形態３．
実施の形態１および２では、OLT側において、低消費電力化するONUとその通信方向とを決定することとした。本実施の形態では、低消費電力化するか否か、およびその通信方向を、ONUにおいて決定する場合を説明する。【００５７】
図３は、本実施の形態におけるPONシステムの構成例を示す図である。図３の構成は、図１の構成と比較すると、OLT２Ｃにおいて低消費化決定部２９を備えず、また、ONU４Ｃにおいて、低消費化ブロック決定部４８の代わりに低消費化ブロック決定部４８Ｃを備える点が異なる。低消費化ブロック決定部４８Ｃは、低消費化ブロック決定部４８の機能に加え、低消費電力化する通信方向をも決定する機能を備える。【００５８】
つづいて、以上のように構成されたPONシステムにおける動作について説明する。以下、PON区間のリンクの状態と、上りおよび下りトラヒックの状態とに基づいて、場合を分けて説明する。【００５９】
（ケース２−１）PON区間のリンクが確立された状態であって、かつ、上り下りともにトラヒックがない場合。
OLT２Ｃの下りトラヒック監視部２７は、上位装置１からONU４Ｃへ宛てた下り方向のトラヒックが一定期間ないことを検出すると、その旨をPON制御部２６に通知する。PON制御部２６は、フレーム多重部２２および光送信部２３を用いて、その旨を通知する制御フレーム（以下、「トラヒック通知フレーム」という）をONU４へ送信する。【００６０】
ONU４Ｃの低消費化ブロック決定部４８Ｃは、光受信部４４およびフレーム分離部４５を介して当該トラヒック通知フレームを受信する。一方、ONU４Ｃの上りトラヒック監視部４７は、バッファ部４１を監視し、TE１０からのトラヒックが一定期間ないことを検出すると、その旨を低消費化ブロック決定部４８Ｃに通知する。低消費化ブロック決定部４８Ｃは、このようにして、OLT２Ｃから下りトラヒックがない旨、およびTE１０からのトラヒックがない旨の通知を受信している場合には、OLT２Ｃに対する上りおよび下りの両通信方向について低消費電力モードへ遷移することを決定し、その旨をOLT２Ｃへ報告することをPON制御部へ指示する。PON制御部は、当該内容（低消費電力モードへ遷移する旨，および遷移する通信方向）を載せた制御フレーム（以下、「遷移宣言フレーム」という）をOLT２Ｃへ送信する。【００６１】
ONU４Ｃの低消費化ブロック決定部４８Ｃは、当該遷移宣言フレームの送信を指示した後で、自律的に、OLT２Ｃからのデータを受信しTE１０へ送信するブロック，TE１０からのデータを受信してOLT２Ｃへ送信するブロック，OLT２Ｃと自ONU４Ｃとの通信制御に必要なブロック、を低消費電力モードへ遷移させる。すなわち、フレーム多重部４２，光送信部４３，光受信部４４，フレーム分離部４５，PON制御部４６，上りトラヒック監視部４７，低消費化ブロック決定部４８Ｃ、を低消費電力モードへ遷移させると決定し、その旨を低消費指示・解除部４９に通知する。【００６２】
ONU４Ｃの低消費指示・解除部４９は、たとえば、予めPONシステムで決定され自装置に設定されている時間である低消費電力稼動時間を指定して、上記ブロックに対し、低消費電力モードへ遷移するよう指示する。【００６３】
一方、OLT２ＣのPON制御部２６は、光受信部２４およびフレーム分離部２５を介して当該遷移宣言フレームを受信すると、ONU４Ｃが低消費電力モードへ遷移することを認識する。また、PON制御部２６は、ONU４Ｃが低消費電力モードに遷移している間、自装置とONU４Ｃとの通信が中断することが予想できる。このため、PON制御部２６は、ONU４Ｃとの間のリンクを断としないように、予めPONシステムで決定され自OLT内に設定された時間（または、ONU４Ｃから受信した遷移宣言フレームに指定された時間）が経過するまで、リンクを監視する処理を停止する。すなわち、該当ONU（ONU４Ｃ）への定期的な問合せフレーム送信を停止し、リンク管理部２８が保持するリンク状態を維持する。【００６４】
この間、OLT２Ｃでは、上位装置１から該当ONU（ONU４Ｃ）宛のトラヒックが到着した場合には、バッファ部２１に蓄積させておく。【００６５】
同様に、ONU４Ｃでは、TE１０からOLT２Ｃ宛のトラヒックが到着した場合には、バッファ部４１に蓄積させておく。【００６６】
ONU４Ｃにおいて低消費電力稼働時間が満了すると、ONU４Ｃの低消費指示・解除部４９は、上記各ブロックに対して低消費電力モードを解除する指示を送信し、各ブロックを活性化させる。また、OLT２Ｃにおいて低消費電力モード稼働時間が満了すると、OLT２ＣのPON制御部２６は、該当ONU（ONU４Ｃ）への定期的な問い合わせを再開させることで、リンク監視を再開させる。【００６７】
これにより、ONU４Ｃにおいて上りおよび下りのトラヒックがない場合に、OLT２Ｃとの間のリンクを維持したまま、OLT２Ｃとの通信に不要なブロックを低消費電力化することが可能となる。また、低消費電力化モードへ遷移している間に発生する上下トラヒックについては、下りトラヒックはOLT２Ｃのバッファ部２１で、上りトラヒックはONU４Ｃのバッファ部４１で蓄積し、低消費電力モード解除後に送受信するので、フレームロスが発生しないという効果が得られる。【００６８】
（ケース２−２）PON区間のリンクが確立された状態であって、かつ、下りトラヒックのみがない場合。
つぎに、下りトラヒックのみが停止した場合の動作について説明する。OLT２Ｃの下りトラヒック監視部２７は、バッファ部２１のデータ蓄積状態を監視し、ONU４Ｃ宛のデータがない場合には、ONU４Ｃ宛のトラヒックがない旨をPON制御部２６に通知する。PON制御部２６は、ONU４Ｃに対する下り方向のトラヒックがない旨を通知するトラヒック通知フレームを、フレーム多重部２２および光送信部２３を介してONU４Ｃへ送信する。【００６９】
ONU４Ｃの低消費化ブロック決定部４８Ｃは、上りトラヒック監視部４７から上りトラヒックがないことを通知されていない状態で、光受信部４４およびフレーム分離部４５を介して当該トラヒック通知フレームを受信すると、下りトラヒックのみがないと判断する。この場合、低消費化ブロック決定部４８Ｃは、OLT２Ｃからのデータを受信してTE１０へ送信するブロック、およびOLT２Ｃとの通信制御に必要なブロックを低消費電力モードへ遷移させることを決定する。すなわち、光受信部４４，フレーム分離部４５，PON制御部４６，上りトラヒック監視部４７，低消費化ブロック決定部４８Ｃ、を低消費電力モードへ遷移させるブロックと決定し、その旨を低消費指示・解除部４９に通知する。また、低消費電力モードへ遷移する旨をOLT２Ｃへ報告することをPON制御部４６へ指示する。PON制御部４６は、当該内容を載せた遷移宣言フレームをOLT２Ｃへ送信する。【００７０】
ONU４Ｃの低消費指示・解除部４９は、後述するOLT２Ｃからの上り送信許可を受信しだい、予めPONシステムで決められている時間、または自装置からOLT２Ｃへ送信する遷移宣言フレーム内で指定した時間である低消費電力稼動時間を指定して、該当ブロックに対し、低消費電力モードへ遷移するよう指示する。【００７１】
OLT２ＣのPON制御部２６は、上記遷移宣言フレームを受信すると、ONU４Ｃが低消費電力モードへ遷移することを認識する。OLT２Ｃは、ONU４Ｃが低消費電力モードに遷移している間、ONU４Ｃとの通信が中断することが予想できる。このため、PON制御部２６は、ONU４Ｃとの間のリンクを断としないように、予めPONシステムにて決定され自OLT内に設定された時間（または、ONU４Ｃから受信する遷移宣言フレーム内に記載された時間）が経過するまで、リンクを監視する処理、すなわち、該当ONU（ONU４Ｃ）への定期的な問合せフレーム送信の処理を停止する。【００７２】
ところで、ONU４Ｃにおいて、下りトラヒックに関するブロックとともにOLT２Ｃとの制御情報のやり取りに関するブロックを低消費電力モードに遷移させることにより、ONU４Ｃは、上りデータが発生しても問合せ応答フレームを送信できないため、上りの送信許可を得られないこととなる。したがって、OLT２ＣのPON制御部２６は、上記低消費電力稼動時間などに応じて、自身が保持するこれまでの統計情報や最低帯域保障情報などを用いて、将来の上り送信許可をONU４Ｃへ送信する。ONU４Ｃの低消費化ブロック決定部４８Ｃは、光受信部４４およびフレーム分離部４５を介して当該上り送信許可を受信しだい、低消費指示・解除部４９に、低消費電力モードへの遷移を指示する。【００７３】
また、ONU４Ｃが低消費電力モードに遷移している間、OLT２Ｃでは、上位装置１から該当ONU（ONU４Ｃ）宛のトラヒックが到着した場合には、バッファ部２１に蓄積させておく。【００７４】
ONU４Ｃにおける低消費電力稼働時間が満了すると、ONU４Ｃの低消費指示・解除部４９は、上記各ブロックに対して低消費電力モード解除を指示し、各ブロックを活性化させる。一方、OLT２ＣのPON制御部２６は、ONU４Ｃが低消費電力モードへ遷移している時間が満了すると、該当ONU（ONU４Ｃ）への定期的な問合せフレームの送信を再開することでリンク監視を再開させる。【００７５】
これにより、下りトラヒックがない場合において、実施の形態１と同様の効果が得られる。【００７６】
（ケース２−３）PON区間のリンクが確立された状態であって、かつ、上りトラヒックのみがない場合。
つぎに、上りトラヒックのみが停止した場合の動作について説明する。ONU４Ｃの上りトラヒック監視部４７は、バッファ部４１におけるデータ蓄積量を監視し、TE１０からの上りデータが一定時間にわたってない場合には、上りデータがないことを検出し、低消費化ブロック決定部４８Ｃにその旨を通知する。低消費化ブロック決定部４８Ｃは、OLT２Ｃからのトラヒック通知フレームにより下りトラヒックがない旨を通知されていない場合であって、当該通知を受けた場合には、上りトラヒックのみがないと判断する。したがって、低消費化ブロック決定部４８Ｃは、OLT２Ｃに対する上り方向を低消費電力モードに遷移させることを決定し、その旨を通知する遷移宣言フレームを送信するようPON制御部４６に指示する。これを受けたPON制御部４６は、光受信部４４およびフレーム分離部４５を介して、OLT２Ｃに遷移宣言フレームを送信する。【００７７】
また、ONU４Ｃの低消費化ブロック決定部４８Ｃは、予め決められた時間、またはOLT２Ｃへ送信した遷移宣言フレーム内に記載した時間である低消費電力稼動時間にわたり、TE１０からのデータをOLT２Ｃへ送信するブロック、およびOLT２Ｃとの間の通信制御に必要なブロックを遷移させることを決定する。すなわち、フレーム多重部４２，光送信部４３，PON制御部４６，上りトラヒック監視部４７，低消費化ブロック決定部４８Ｃ、を低消費電力モードへ遷移させるブロックとして決定し、その旨を低消費指示・解除部４９に通知する。【００７８】
低消費指示・解除部４９は、該当ブロックに対して、上記低消費電力稼動時間を指定し、低消費電力モードへ遷移するよう指示する。【００７９】
OLT２ＣのPON制御部２６は、上記遷移宣言フレームを受信すると、ONU４Ｃが低消費電力モードへ遷移することを認識する。また、PON制御部２６は、ONU４Ｃが低消費電力モードに遷移している間、自装置とONU４Ｃとの通信が中断することが予想できる。このため、PON制御部２６は、ONU４Ｃとの間のリンクを断としないように、予めPONシステムで決定され自OLT内に設定された時間（または、ONU４Ｃから受信した遷移宣言フレームに指定された時間）が経過するまで、リンクを監視する処理を停止する。すなわち、該当ONU（ONU４Ｃ）への定期的な問合せフレーム送信を停止し、リンク管理部２８が保持するリンク状態を維持する。【００８０】
低消費電力稼働時間が経過するまでの間、ONU４ＣにおいてTE１０からOLT２Ｃへ宛てたトラヒックが到着した場合には、バッファ部４１がデータを蓄積する。低消費電力稼働時間が満了すると、ONU４Ｃの低消費指示・解除部４９は、上記各ブロックに対して低消費電力モード解除を指示し、各ブロックを活性化させる。一方、OLT２Ｃにおいて、ONU４Ｃが低消費電力モードへ遷移している時間が満了すると、PON制御部２６は、該当ONU（ONU４Ｃ）への定期的な問合せフレーム送信を再開することでリンク監視を再開させる。【００８１】
これにより、ONUからの上りトラヒックがない場合において、実施の形態１と同様の効果が得られる。【００８２】
なお、上記上りのみトラヒックが停止した場合の動作では、OLTから該当ONUへの定期的な問合せ処理を停止させることとしたが、リンク管理部２８においてリンクを維持しつつ、定期的な問合せを継続して実施してもよい。具体的な動作は上述同様である。【００８３】
（ケース２−４）PON区間のリンクが断である場合
最後に、OLT２Ｃとのリンクが断となった場合の動作について説明する。OLT２ＣとONU４Ｃとの間では、上述した様に、リンクを維持するために、定期的にお互いのPON制御部間で問合せフレームおよび問合せ応答フレームをやり取りしてその内容を確認し、リンクが維持されている場合にのみデータ通信を行う。【００８４】
ONU４Ｃの低消費化ブロック決定部４８Ｃは、一定の時間にわたり上記問合せフレームを検出しない場合には、OLT２Ｃとの通信制御に必要なブロックである、フレーム多重部４２，光送信部４３，光受信部４４，フレーム分離部４５，PON制御部４６、のみを残し、他のブロックを低消費電力モードへ遷移させるブロックに決定し、その旨を低消費指示・解除部４９に通知する。【００８５】
低消費指示・解除部４９は、PONのリンク（OLT２Ｃとの間のリンク）が回復するまで、該当のブロックに対し低消費電力モードへ遷移するよう指示する。ONU４Ｃの低消費化ブロック決定部４８Ｃは、リンクが回復し、光受信部４４およびフレーム分離部４５を介してOLT２Ｃから問合せフレームを受信すると、低消費指示・解除部４９へ解除の指示を行う。これを受けた低消費指示・解除部４９は、各ブロックに対し遷移解除の指示を出し、各部を活性化させる。【００８６】
これにより、OLT２Ｃとの間のリンクが断となった場合にも、実施の形態１と同様の効果が得られる。【００８７】
以上説明したように、本実施の形態では、ONUからOLTへの上りトラヒックをONUが監視し、OLTからONUへの下りトラヒックをOLTが監視することとし、これらの監視結果により、ONUにおいて低消費電力モードへ遷移させる通信方向およびブロックを決定する構成とした。この場合にも、実施の形態１および２と同様、OLTとONUとの間のリンクを維持したまま、またはリンク可能な状態を維持したままで、ONUにおける消費電力を低減させることが可能となる。【００８８】
実施の形態４．
実施の形態３では、OLTにおいてONUとの間の下りトラヒックを監視することとした。本実施の形態では、下りトラヒックをONUで監視する場合を説明する。【００８９】
図４は、本実施の形態におけるPONシステムの構成例を示す図である。図４の構成は、図３の構成と比較すると、OLT２Ｃに代えてOLT２Ｄを備え、ONU４Ｃに代えてONU４Ｄを備える。OLT２Ｄは、下りトラヒック監視部２７を備えず、代わりに、ONU４Ｄが下りトラヒック監視部５０を備える。下りトラヒック監視部５０は、OLT２Ｄからの上りトラヒックを監視する目的で設けられる。【００９０】
OLT４Ｄの下りトラヒック監視部５０は、光受信部４４およびフレーム分離部４５を介してTE１０へ送信されるユーザフレームを監視する。これにより、下りトラヒック監視部５０は、図３の下りトラヒック監視部２７と同等の機能を果たす。【００９１】
つづいて、以上のように構成されたPONシステムにおける動作について説明する。ここでは、OLT２ＤからONU４Ｄへの下りトラヒックのみが停止した場合を例に説明する。【００９２】
ONU４Ｄの下りトラヒック監視部５０は、光受信部４４およびフレーム分離部４５を介してTE１０へ送信されるユーザフレームを監視し、一定期間にわたりユーザフレームを検出しない場合には、下りトラヒックがないと判断して、その旨を低消費化ブロック決定部４８Ｃに通知する。これを受けた低消費化ブロック決定部４８Ｃは、OLT２Ｄに対する上り方向のみを低消費電力モードへ遷移させることを決定し、その旨を通知するようPON制御部２６に指示する。PON制御２６は、上り方向について低消費電力モードへ遷移する旨を宣言する遷移宣言フレームを、OLT２Ｄへ送信する。【００９３】
ONU４Ｄでは、実施の形態３の「ケース２−３」同様に、低消費電力モードへ遷移させる処理を行う。その後、ONU４Ｄにおける低消費電力稼働時間が満了すると、上述同様、ONU４Ｄの低消費指示・解除部４９は、低消費電力モード解除を指示し、各ブロックを活性化させる。一方、OLT２Ｄにおいて、ONU４Ｄが低消費電力モードへ遷移している時間が満了すると、PON制御部２６は、該当ONU（ONU４）への定期的な問合せフレームの送信を再開することでリンク監視を再開させる。【００９４】
以上説明したように、本実施の形態では、ONUからOLTへの上りトラヒックおよび、OLTからONUへの下りトラヒックの双方をONUが監視することとし、これらの監視結果により、ONUにおいて低消費電力モードへ遷移させる通信方向およびブロックを決定する構成とした。この場合にも、実施の形態３と同様、OLTとONUとの間のリンクを維持したまま、またはリンク可能な状態を維持したままで、ONUにおける消費電力を低減させることが可能となる。
【産業上の利用可能性】
【００９５】
以上のように、本発明にかかるＰＯＮシステムは、リアルタイム性が必要とされるサービスを提供するＰＯＮシステムに有用であり、特に、データ通信を行わない間もリンクを維持する場合に適している。
【図１】
2010143258.tif 000003
【図２】
2010143258.tif 000004
【図３】
2010143258.tif 000005
【図４】
2010143258.tif 000006
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関するメッセージを生成し、該生成されたメッセージを動作モードに関する制御信号として該ＯＮＵへ送信し、
前記ＯＬＴから送信されたメッセージに基づき前記ＯＮＵが低消費電力モードで動作している間は、該ＯＬＴと該ＯＮＵとの間のリンク状態を維持すること
を特徴とするＯＬＴ。
【請求項２】
前記ＯＮＵが上り方向および下り方向の通信のうち上り方向のみ低消費電力モードで動作している場合に、
前記制御部は、該ＯＮＵに対して上り帯域割当てに関する問合せを行い、前記問合せに対する前記ＯＮＵからの応答に基づき該ＯＮＵへ上り帯域を割当てること
を特徴とする請求項１に記載のＯＬＴ。
【請求項３】
前記ＯＮＵが上り方向および下り方向の通信のうち上り方向のみ低消費電力モードで動作している場合に、
前記制御部は、
該ＯＮＵに対して上り帯域割当てに関する問合せを行い、
前記問合せへ応答可能な予め定められた所定期間に該ＯＮＵから送信された該ＯＮＵの低消費電力モードの解除に関するメッセージを受信すること
を特徴とする請求項１に記載のＯＬＴ。
【請求項４】
前記制御部は、前記ＯＮＵから受信した上りトラヒックに基づいて該ＯＮＵの低消費電力モードへの遷移に関するメッセージを生成すること
を特徴とする請求項１に記載のＯＬＴ。
【請求項５】
前記制御部は、前記ＯＮＵから該ＯＮＵの蓄積データ量の情報を受信し、前記蓄積データ量の情報に基づき該ＯＮＵの低消費電力モードへの遷移に関するメッセージを生成すること
を特徴とする請求項１に記載のＯＬＴ。
【請求項６】
前記ＯＮＵが上り方向および下り方向の通信のうち上り方向のみ低消費電力モードで動作している場合に、該ＯＮＵへ下りトラヒックを転送すること
を特徴とする請求項１ないし請求項５のいずれか一項に記載のＯＬＴ。
【請求項７】
前記ＯＮＵの上り方向及び下り方向を低消費電力モードで動作している場合に、
前記低消費電力モードに遷移している間下りトラヒックを保持すること
を特徴とする請求項１または請求項４または請求項５のいずれか一項に記載のＯＬＴ。
【請求項８】
前記ＯＮＵが低消費電力モードに遷移している期間を計測する計測手段を備え、
前記制御部は、
前記計測手段により計測された期間が予め定められた期間に到達するまでの間は前記リンク状態を維持し、
前記計測手段により計測された期間が予め定められた期間に到達した場合に、前記リンク状態を切断するか否かの判断を行うこと
を特徴とする請求項１に記載のＯＬＴ。
【請求項９】
前記ＯＮＵの低消費電力モードへの遷移に関するメッセージは、
該ＯＮＵの低消費電力モードへの遷移に関する時間情報を有すること
を特徴とする請求項１に記載のＯＬＴ。
【請求項１０】
局側通信装置（以下、ＯＬＴという）と協働してＰＯＮシステムを構成する加入者側通信装置（以下、ＯＮＵという）において、
前記ＯＮＵは、
前記ＯＬＴと該ＯＮＵとが相互にリンクされている状態で前記ＯＬＴより送信される該ＯＮＵの動作モードに関する制御信号を受信し、該制御信号に基いて低消費電力モードへ遷移し、
前記低消費電力モードへ遷移した後のＯＮＵは、
該ＯＮＵと前記ＯＬＴとが相互にリンク維持されている状態で、低消費電力モードでの動作をすること
を特徴とするＯＮＵ。
【請求項１１】
前記ＯＮＵは、
該ＯＮＵの低消費電力モードへの遷移に関する時間情報を前記ＯＬＴから受信し、
該時間情報に基いて低消費電力モードで動作すること
を特徴とする請求項１０に記載のＯＮＵ。
【請求項１２】
上り方向のみ低消費電力モードで動作している場合に、前記ＯＬＴから送信された下りトラヒックを受信すること
を特徴とする請求項１０または請求項１１に記載のＯＮＵ。
【請求項１３】
上り方向のみ低消費電力モードで動作している場合に、
前記低消費電力モードの解除を決定し、
前記解除の決定に伴い低消費電力モードの状態を解除した後、前記ＯＬＴから送信された上り帯域割当てに関する問合せに応答すること
を特徴とする請求項１２に記載のＯＮＵ。
【請求項１４】
前記ＯＬＴから送信された問合せへ応答可能な予め定められた所定期間に、前記決定した該ＯＮＵの低消費電力モードの解除に関する決定結果を前記ＯＬＴへ送信すること
を特徴とする請求項１３に記載のＯＮＵ。
【請求項１５】
局側通信装置（以下、ＯＬＴという）および加入者側通信装置（以下、ＯＮＵという）を備え、前記ＯＬＴ及び前記ＯＮＵ間がリンクされている状態で通信を行う通信システムにおいて、
前記ＯＬＴは、
前記ＯＮＵの低消費電力モードへの遷移に関する制御信号を生成する生成手段と、
前記生成手段により生成した前記制御信号を該ＯＮＵへ送信する送信手段と、を有し、
前記ＯＮＵは、
前記ＯＬＴから送信された前記制御信号を受信する受信手段と、
前記受信手段により受信した前記制御信号に基き低消費電力モードへの遷移を実行する遷移実行手段と、を有し、
前記低消費電力モードへ遷移したＯＮＵが低消費電力モードで動作している間、前記ＯＬＴ及び該ＯＮＵ間のリンク状態を維持する制御部、を備えたこと
を特徴とする通信システム。
【請求項１６】
前記制御部は、前記ＯＬＴに備えられたことを特徴とする請求項１５に記載の通信システム。
【請求項１７】
局側通信装置（以下、ＯＬＴという）および加入者側通信装置（以下、ＯＮＵという）を備え、前記ＯＬＴ及び前記ＯＮＵ間がリンクされている状態で通信を行う通信システムの通信方法において、
前記ＯＬＴが前記ＯＮＵの低消費電力モードへの遷移に関する制御信号を生成する第１のステップと、
前記第１のステップにより生成された前記制御信号を該ＯＬＴが前記ＯＮＵへ送信する第２のステップと、
前記第２のステップにより送信された前記制御信号を前記ＯＮＵが受信する第３のステップと、
前記第３のステップにより受信された前記制御信号に基き前記ＯＮＵが低消費電力モードへ遷移する第４のステップと、
前記第４のステップにより低消費電力モードへ遷移した前記ＯＮＵが低消費電力モードで動作している間、該ＯＮＵ及び前記ＯＬＴ間のリンク状態を維持する第５のステップと、
を備えたこと特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、Ethernet（登録商標）技術を用いたPON（Passive  Optical  Network）システムに関する。
【背景技術】
【０００２】
従来、局とユーザ宅を接続するアクセス網において、高速性および経済性を達成できることから、FTTH（Fiber  To  The  Home）の一方式であるPONシステムが急速に普及している。PONシステムでは、局側装置（OLT：Optical  Line  Termination）に対し、複数の光ファイバに信号出力を分岐させる光スプリッタを介して、複数の加入者側装置（ONU：Optical  Network  Unit）が接続される。ONUに対しては、LANケ−ブルを介してTE（Terminal  Equipment）が接続される。TEは、たとえば、HGW（Home  Gate  Way），VoIP−TA（Voice  over  Internet  Protocol−Terminal  Adapter），PC、などである。
【０００３】
ところで、ユーザ宅内に設置されるONUは、光電話などのリアルタイム性が必要とされるサービスを提供するため、データ通信を行わない場合（待機時）であっても、常にOLTやTEとのリンクを確立する必要があり、ONUの消費電力が大きいという問題があった。
【０００４】
上記の問題を解決するために、下記特許文献１では、PDS（パッシブダブルスター）構成の呼毎制御において、端末回線終端装置ごとに特定パターンを設定することとし、着信の際には、当該端末回線終端装置が、局内回線終端装置から送信される特定パターンと、自身内の設定（登録）パターンとを比較し、一致した場合にのみ着信動作を行う構成とすることで、不要な消費電力を抑制する方法が開示されている。
【０００５】
また、下記特許文献２では、ATM（Asynchronous Transfer Mode：非同期伝送方式）装置におけるモデムと回線カードとの間で有効なデータの授受が無い場合には、モデムおよび回線カードの送信部の機能を停止させることにより、不要な消費電力を抑制する方法が開示されている。
【０００６】
また、下記特許文献３では、PONシステムのONUにおいて、論理リンクおよび物理リンクの状態を監視し、リンクが切断されている状態では、ONU内の搭載回路を低消費電力モードに制御する方法が開示されている。
【０００７】
【特許文献１】特開平９−６４９０３号公報
【特許文献２】特開２００４−６４４５８号公報
【特許文献３】特開２００８−１１３１９３号公報
【発明の開示】
【発明が解決しようとする課題】
【０００８】
しかしながら、上記特許文献１および２の方法によれば、通信を行うための所定の条件を満たす場合のみ動作するため、局内回線終端装置と加入者回線終端装置の間でのリンク状態を維持する事ができない、という問題があった。
【０００９】
また、上記特許文献３の方法では、低消費電力モードへ遷移するためのトリガとしてリンクの有無のみを基準とするため、リンクは確立しているがユーザデータがない場合を想定しておらず、当該ケースの消費電力低減動作が示されていない、という問題があった。
【００１０】
本発明は、上記に鑑みてなされたものであって、OLTとONUのリンクを維持したまま、ONUの低消費電力化を実行可能なPONシステムを得ることを目的とする。
【課題を解決するための手段】
【００１１】
上述した課題を解決し、目的を達成するために、本発明の局側通信装置は、加入者側通信装置（以下、ＯＮＵという）と協働してＰＯＮシステムを構成し、ＯＮＵとのリンク状態を制御する制御部を有する局側通信装置（以下、ＯＬＴという）であって、制御部は、ＯＮＵの低消費電力モードへの遷移に関するメッセージを生成し、生成されたメッセージを動作モードに関する制御信号としてＯＮＵへ送信し、ＯＬＴから送信されたメッセージに基づきＯＮＵが低消費電力モードで動作している間は、ＯＬＴとＯＮＵとの間のリンク状態を維持する、ことを特徴とする。
【００１２】
この発明の加入者側通信装置は、局側通信装置（以下、ＯＬＴという）と協働してＰＯＮシステムを構成する加入者側通信装置（以下、ＯＮＵという）であって、ＯＮＵは、ＯＬＴとＯＮＵとが相互にリンクされている状態でＯＬＴより送信されるＯＮＵの動作モードに関する制御信号を受信し、制御信号に基いて低消費電力モードへ遷移し、低消費電力モードへ遷移した後のＯＮＵは、ＯＮＵとＯＬＴとが相互にリンク維持されている状態で、低消費電力モードでの動作をする、ことを特徴とする。
【００１３】
この発明の通信システムは、局側通信装置（以下、ＯＬＴという）および加入者側通信装置（以下、ＯＮＵという）を備え、ＯＬＴ及びＯＮＵ間がリンクされている状態で通信を行う通信システムであって、ＯＬＴは、ＯＮＵの低消費電力モードへの遷移に関する制御信号を生成する生成手段と、生成手段により生成した制御信号をＯＮＵへ送信する送信手段と、を有し、ＯＮＵは、ＯＬＴから送信された制御信号を受信する受信手段と、受信手段により受信した制御信号に基き低消費電力モードへの遷移を実行する遷移実行手段と、を有し、低消費電力モードへ遷移したＯＮＵが低消費電力モードで動作している間、ＯＬＴ及びＯＮＵ間のリンク状態を維持する制御部、を備えたことを特徴とする。
【００１４】
この発明の通信方法は、局側通信装置（以下、ＯＬＴという）および加入者側通信装置（以下、ＯＮＵという）を備え、ＯＬＴ及びＯＮＵ間がリンクされている状態で通信を行う通信システムの通信方法であって、ＯＬＴがＯＮＵの低消費電力モードへの遷移に関する制御信号を生成する第１のステップと、第１のステップにより生成された制御信号をＯＬＴがＯＮＵへ送信する第２のステップと、第２のステップにより送信された制御信号をＯＮＵが受信する第３のステップと、第３のステップにより受信された制御信号に基きＯＮＵが低消費電力モードへ遷移する第４のステップと、第４のステップにより低消費電力モードへ遷移したＯＮＵが低消費電力モードで動作している間、ＯＮＵ及びＯＬＴ間のリンク状態を維持する第５のステップと、を備えたこと特徴とする。
【発明の効果】
【００１５】
本発明にかかる局側通信装置（OLT）、加入者側通信装置（ONU）、通信システム、および通信方法は、OLTとONU間のリンク状態を維持したままONUの消費電力を低減可能とする、という効果を奏する。
【図面の簡単な説明】
【００１６】
【図１】図１は、実施の形態１のＰＯＮシステムの構成例を示す図である。
【図２】図２は、実施の形態２のＰＯＮシステムの構成例を示す図である。
【図３】図３は、実施の形態３のＰＯＮシステムの構成例を示す図である。
【図４】図４は、実施の形態４のＰＯＮシステムの構成例を示す図である。
【符号の説明】
【００１７】
１  上位装置
２，２Ｂ，２Ｃ，２Ｄ  OLT
３  スプリッタ
４，４Ｂ，４Ｃ，４Ｄ  ONU
１０  TE
２１  バッファ部
２２  フレーム多重部
２３  光送信部
２４  光受信部
２５  フレーム分離部
２６  ＰＯＮ制御部
２７  下りトラヒック監視部
２８  リンク管理部
２９  低消費化決定部
３０  上りトラヒック監視部
４１  バッファ部
４２  フレーム多重部
４３  光送信部
４４  光受信部
４５  フレーム分離部
４６  ＰＯＮ制御部
４７  上りトラヒック監視部
４８，４８Ｃ  低消費化ブロック決定部
４９  低消費指示・解除部
５０  下りトラヒック監視部
【発明を実施するための最良の形態】
【００１８】
以下に、本発明にかかるＰＯＮシステムの実施の形態を図面に基づいて詳細に説明する。なお、この実施の形態によりこの発明が限定されるものではない。
【００１９】
実施の形態１．
図１は、本実施の形態のＰＯＮシステムの構成例を示す図である。図１のPONシステムは、上位装置１と、局側装置であるOLT２と、スプリッタ３と、加入者側装置であるONU４と、TE１０とを構える。図１では、ONU４およびTE１０は、ひとつずつのみ示すが、実際には複数が接続可能である。上位装置１は、ネットワーク側に設置されるOLT２を管理する。スプリッタ３は、OLT２からの光信号を分岐してONU４に送信する。TE１０は、たとえば、ＨＧＷ，ＶｏＩＰ−ＴＡ，ＰＣなどである。
【００２０】
OLT２は、バッファ部２１と、フレーム多重部２２と、光送信部２３と、光受信部２４と、フレーム分離部２５と、ＰＯＮ制御部２６と、下りトラヒック監視部２７と、リンク管理部２８と、低消費化決定部２９とを備える。バッファ部２１は、上位装置１から受信するデータを一時的に蓄積する。フレーム多重部２２は、ユーザフレームと制御フレームとを多重する。光送信部２３は、フレーム多重部２２から出力される電気信号を光信号へ変換してONU４へ向けて送信する。光受信部２４は、ONU４からの光信号を受信して電気信号へ変換する。フレーム分離部２５は、制御フレームとユーザフレームとを分離する。PON制御部２６は、OLT２とONU４との間で送受信する制御フレームを処理する。下りトラヒック監視部２７は、下りトラヒックの有無を監視する。リンク管理部２８は、ONU４との間のリンク状態を管理する。低消費化決定部２９は、低消費電力化するONUおよび通信方向を決定する。
【００２１】
ONU４は、バッファ部４１と、フレーム多重部４２と、光送信部４３と、光受信部４４と、フレーム分離部４５と、ＰＯＮ制御部４６と、上りトラヒック監視部４７と、低消費化ブロック決定部４８と、低消費指示・解除部４９とを備える。バッファ部４１は、TE１０からのデータを一時的に蓄積する。フレーム多重部４２は、ユーザフレームと制御フレームとを多重する。光送信部４３は、自ONUからの電気信号を光信号へ変換してOLT２へ向けて送信する。光受信部４４は、OLT２からの光信号を受信して電気信号へ変換する。フレーム分離部４５は、制御フレームとユーザフレームとを分離する。PON制御部４６は、ONU４とOLT２との間で送受信する制御フレームを処理する。上りトラヒック監視部４７は、バッファ部４１のデータ量を監視することで上りトラヒックを監視する。低消費化ブロック決定部４８は、低消費電力化するブロックを決定する。低消費指示・解除部４９は、低消費化ブロック決定部４８により決定されたブロックに対し、低消費電力化の指示または解除を行う。
【００２２】
このPONシステムでは、従来の動作として、リンクを維持するために定期的に、OLT２のPON制御部２６およびONU４のPON制御部４６の間で、制御フレーム（後述）をやり取りしてその内容を確認し、リンクが維持されている場合にのみデータ通信を行う。
【００２３】
つづいて、以上のように構成されたPONシステムの動作について説明する。以下、PON区間のリンクの状態と、上りおよび下りトラヒックの状態とに基づいて、場合を分けて説明する。
【００２４】
（ケース１−１）PON区間のリンクが確立された状態であって、かつ、上り下りともにトラヒックがない場合。
ONU４の上りトラヒック監視部４７は、バッファ部４１を監視することでTE１０からの上りトラヒックを監視し、所定の時間にわたって蓄積データ量がないことにより、TE１０からの上りトラヒックがないことを検出する。この場合、上りトラヒック監視部４７は、PON制御部４６に上りトラヒックがない旨を通知する。一方、OLT２は、従来の動作として、定期的に、リンク確認および上り帯域割当算出を目的とした蓄積データ量の問合せを行う制御フレーム（以下、「問合せフレーム」という）を送信する。光受信部４４およびフレーム分離部４５を介して当該問合せフレームを受信すると、PON制御部４６は、バッファ部４１から通知される蓄積データ量を含めた制御フレームを送信する（以下、「問合せ応答フレーム」という）。ここでは、上りトラヒック監視部４７から上りトラヒックがない旨を通知されるので、PON制御部４６は、その旨を当該制御フレームにさらに含める。
【００２５】
OLT２の低消費化決定部２９は、問合せ応答フレームを光受信部２４およびフレーム分離部２５を介して受信する。また、下りトラヒック監視部２７は、バッファ部２１のデータ蓄積状態を監視し、一定時間にわたりONU４宛のデータがない場合には、ONU４宛のトラヒックがない旨を低消費化決定部２９に通知する。以上により、低消費化決定部２９は、ONU４において蓄積データがない旨およびONU４宛のトラヒックがない旨を通知されるので、ONU４との間で上りおよび下りのトラヒックがないと判断し、ONU４を上り・下りの両方向とも低消費電力モードへ遷移させることを決定し、その旨を通知するようPON制御部２６に指示する。PON制御部２６は、当該通知の内容（低消費電力モードへ遷移する旨，および遷移させる通信方向）を含めた制御フレーム（以下、「遷移指示フレーム」ともいう）を、フレーム多重部２２および光送信部２３を介して、ONU４へ送信する。
【００２６】
ONU４の低消費化ブロック決定部４８は、光受信部４４およびフレーム分離部４５を介して当該遷移指示フレームを受信する。低消費化ブロック決定部４８は、当該遷移指示フレームにおける指示、すなわち、自ONUの上りおよび下りを低消費電力モードへ遷移させる旨の指示にしたがい、OLT２からのデータを受信してTE１０へ送信するブロック，TE１０からのデータを受信してOLT２へ送信するブロック，OLT２との通信制御に必要なブロック、を低消費電力モードへ遷移させる。すなわち、低消費化ブロック決定部４８は、フレーム多重部４２，光送信部４３，光受信部４４，フレーム分離部４５，PON制御部４６，上りトラヒック監視部４７，低消費化ブロック決定部４８、を低消費電力モードへ遷移させるブロックと決定し、その旨を低消費指示・解除部４９に通知する。
【００２７】
低消費指示・解除部４９は、たとえば、予めPONシステムにおいて決定されONU４内に設定された時間を指定して、上記のブロックに対し低消費電力モードへ遷移するよう指示する。以下、ONU４における当該「時間」を、「低消費電力稼働時間」ともいう。なお、OLT２が送信する遷移指示フレーム内に、当該時間を指示する、としてもよい。
【００２８】
ところで、OLT２のPON制御部２６は、上記遷移指示フレームの指示によって、ONU４が低消費電力モードに遷移している間、OLT２とONU４との通信が中断することが予想できる。このため、PON制御部２６は、ONU４との間のリンクを断としないように、予めPONシステムで決定され自OLT内に設定された時間（または、自OLTから送信した遷移指示フレームで指定した時間）が経過するまで、リンクを監視する処理を停止する。すなわち、該当ONU（ONU４）への定期的な問合せフレーム送信を停止し、リンク管理部２８が保持するリンク状態を維持する。
【００２９】
この間、OLT２では、上位装置１から該当ONU（ONU４）宛のトラヒックが到着した場合には、バッファ部２１に蓄積させておく。
【００３０】
同様に、ONU４では、TE１０からOLT２宛のトラヒックが到着した場合には、バッファ部４１に蓄積させておく。
【００３１】
ONU４において低消費電力モード稼働時間が満了すると、ONU４の低消費指示・解除部４９は、上記各ブロックに対して低消費電力モードを解除する指示を送信し、各ブロックを活性化させる。また、OLT２において低消費電力モード稼働時間が満了すると、OLT２のPON制御部２６は、該当ONU（ONU４）への定期的な問い合わせを再開させることで、リンク監視を再開させる。
【００３２】
これにより、ONU４において上下トラヒックがない場合に、OLT２とのリンクを維持したままOLT２との通信に不要なブロックを低消費電力化することが可能となる。また、ONU４が低消費電力モードで稼働中に発生したトラヒックについても、下りトラヒックはOLT２のバッファ部２１で、上りトラヒックはONU４のバッファ部４１で蓄積し、再開時に送受信することとするので、フレームロスの発生を回避しつつ、低消費電力モードで稼動できる。
【００３３】
（ケース１−２）PON区間のリンクが確立された状態であって、かつ、下りトラヒックのみがない場合。
つぎに、下りトラヒックのみが停止した場合の動作について説明する。OLT２の下りトラヒック監視部２７は、バッファ部２１のデータ蓄積状態を監視し、ONU４宛のデータが一定時間にわたってない場合には、ONU４宛の下りトラヒックがない旨を低消費化決定部２９に通知する。また、低消費化決定部２９は、上述のように送信されるONU４からの問合せ応答フレームを参照し、ONU４に蓄積データがあることを認識している。以上により、OLT２の低消費化決定部２９は、ONU４に対する下りトラヒックのみがないと判断する。したがって、低消費化決定部２９は、自装置からONU４への下り方向を低消費電力モードへ遷移させることを決定し、その旨を通知するようPON制御部２６に指示する。PON制御部２６は、当該通知の内容を含めた遷移指示フレームを、フレーム多重部２２および光送信部２３を介して、ONU４へ送信する。
【００３４】
ONU４の低消費化ブロック決定部４８は、光受信部４４およびフレーム分離部４５を介して当該遷移指示フレームを受信すると、OLT２からのデータを受信してTE１０へ送信するブロック、およびOLT２との通信制御に必要なブロックを低消費電力モードへ遷移させることを決定する。すなわち、低消費化ブロック決定部４８は、光受信部４４，フレーム分離部４５，PON制御部４６，上りトラヒック監視部４７，低消費化ブロック決定部４８、を低消費電力モードへ遷移させるブロックとして決定し、その旨を低消費指示・解除部４９に通知する。
【００３５】
低消費指示・解除部４９は、該当ブロックに対して、上記低消費電力稼動時間を指定し、低消費電力モードへ遷移するよう指示する。
【００３６】
また、OLT２のPON制御部２６は、上記遷移指示フレームの指示によって、ONU４が低消費電力モードに遷移している間、OLT２とONU４との通信が中断することが予想できる。このため、PON制御部２６は、ONU４との間のリンクを断としないように、予めPONシステムで決定され自OLT内に設定された時間（または、自OLTから送信した遷移指示フレームで指定した時間）が経過するまで、リンクを監視する処理を停止する。すなわち、該当ONU（ONU４）への定期的な問合せフレーム送信を停止し、リンク管理部２８が保持するリンク状態を維持する。
【００３７】
ところで、下りトラヒックに関するブロックとともに、OLT２との間の制御情報のやり取りに関するブロックを低消費電力モードに遷移させることにより、ONU４は、上りトラヒックが発生しても制御情報を送信できないため、上りの送信許可が得られないこととなる。これに対する対応として、OLT２のPON制御部２６は、上記低消費電力稼動時間などに応じて、自身が保持するこれまでの統計情報や、PONシステムにおける最低帯域保障情報などを用いて、将来の上り送信許可をONU４へ送信しておく。また、ONU４が低消費電力モードに遷移している間、OLT２では、上位装置１から該当ONU（ONU４）宛のトラヒックが到着した場合には、バッファ部２１に蓄積させておく。
【００３８】
ONU４における低消費電力稼働時間が満了すると、ONU４の低消費指示・解除部４９は、上記各ブロックに対して低消費電力モード解除を指示し、各ブロックを活性化させる。一方、OLT２では、ONU４が低消費電力モードへ遷移している時間が満了すると、リンク管理部２８が、該当ONU（ONU４）への定期的な問合せフレーム送信のPON制御部２６への指示を再開することで、リンク監視を再開させる。
【００３９】
これにより、下りトラヒックがない場合において、リンクを維持し、かつ、上りトラヒックの送信許可を予め与えることで、下りトラヒックの伝送に不要なブロックを低消費電力化することが可能となる。また、低消費電力モードへ遷移している間に発生する下りトラヒックをOLT２のバッファ部２１が蓄積し、下りトラヒックの再開時に送信することとしたので、フレームロスの発生を回避できる。
【００４０】
（ケース１−３）PON区間のリンクが確立された状態であって、かつ、上りトラヒックのみがない場合。
つぎに、上りトラヒックのみが停止した場合の動作について説明する。上述同様に、ONU４のバッファ部４１は、データ蓄積量をPON制御部４６に通知する。また、上りトラヒック監視部４７は、TE１０からの上りトラヒックを監視し、一定時間にわたりTE１０からの上りトラヒックがないことを検出すると、その旨をPON制御部４６に通知する。また、PON制御部４６は、光受信部４４およびフレーム分離部４５を介してOLT２から問合せフレームを受信すると、バッファ部４１から通知されるデータ蓄積量を含めた問合せ応答フレームを作成する。ここで、PON制御部４６は、上りトラヒック監視部４７からの通知により、上りトラヒックがない旨をさらに含めて、問合せ応答フレームを返信する制御を行う。
【００４１】
OLT２の低消費化決定部２９は、光受信部２４およびフレーム分離部２５を介して上記問合せ応答フレームを受信すると、ONU４において蓄積データ量がないことを認識する。一方、下りトラヒック監視部２７は、下りトラヒックがないとは検出しない。したがって、低消費化決定部２９は、ONU４からの上りトラヒックのみがないと判断し、ONU４からの上り方向について低消費電力モードへ遷移することを決定し、その旨を通知するようPON制御部２６に指示する。PON制御部２６は、上り方向について低消費電力モードへ遷移する旨を指示する遷移指示フレームを、ONU４へ送信する。
【００４２】
ONU４の低消費化ブロック決定部４８は、光受信部４４およびフレーム分離部４５を介して当該遷移指示フレームを受信すると、TE１０からのデータを受信してOLT２へ送信するブロックおよび、OLT２との通信制御に必要なブロックを、低消費電力モードへ遷移させることを決定する。すなわち、フレーム多重部４２および光送信部４３（送信処理に関するブロック）と、PON制御部４６，上りトラヒック監視部４７，低消費化ブロック決定部４８（通信制御に関するブロック）、を低消費電力モードへ遷移させるブロックとして決定し、その旨を低消費指示・解除部４９に通知する。
【００４３】
低消費指示・解除部４９は、該当ブロックに対して、上記低消費電力稼動時間を指定し、低消費電力モードへ遷移するよう指示する。
【００４４】
また、OLT２のPON制御部２６は、上記遷移指示フレームの指示によって、ONU４が低消費電力モードに遷移している間、OLT２とONU４との通信が中断することが予想できる。このため、PON制御部２６は、ONU４との間のリンクを断としないように、予めPONシステムで決定され自OLT内に設定された時間（または、自OLTから送信した遷移指示フレームで指定した時間）が経過するまで、リンクを監視する処理を停止する。すなわち、該当ONU（ONU４）への定期的な問合せフレーム送信を停止し、リンク管理部２８が保持するリンク状態を維持する。
【００４５】
低消費電力稼働時間が経過するまで、ONU４においてTE１０からOLT２へ宛てたトラヒックが到着した場合には、バッファ部４１がトラヒックを蓄積する。ONU４における低消費電力稼働時間が満了すると、ONU４の低消費指示・解除部４９は、上記各ブロックに対して低消費電力モード解除を指示し、各ブロックを活性化させる。一方、OLT２において、ONU４が低消費電力モードへ遷移している時間が満了すると、リンク管理部２８は、該当ONU（ONU４）への定期的な問合せフレーム送信の指示を再開することでリンク監視を再開させる。
【００４６】
これにより、ONUからの上りトラヒックがない場合には、ONU〜OLT間のリンクを維持したまま、ONUからOLTへの上り方向の通信に不要なブロックを低消費電力化することが可能となる。また、低消費電力モードへ遷移している間に発生する上りトラヒックは、ONUのバッファ部に蓄積し、通信再開時に送信することとしたため、フレームロスを回避できる。
【００４７】
なお、上記上りのみトラヒックが停止した場合の動作では、OLTから該当ONUへの定期的な問合せ処理を停止させることとしたが、リンク管理部が保持するリンクを維持しつつ、定期的な問合せを継続して実施してもよい。この場合にも、問合せフレームは定期的に送信され、光受信部４４やフレーム分離部４５がこれを受信している。そして、バッファ部４１は、自身内に緊急を要すトラヒックが到着した場合は、その旨を低消費指示・解除部４９に通知し、これを受けた低消費指示・解除部４９が、各部に低消費電力モードの解除を指示する。こうすることで、活性化したPON制御部４６が、OLT２からの問合せフレームをフレーム分離部４５から受信し、当該問合せフレームに対して問合せ応答フレームを返信することにより上り送信許可を得ることができる。これにより、ONU４は、緊急の場合には、予め決められた時間が満了するより早く低消費電力モードから脱して、上りデータを送信することが可能である。
【００４８】
（ケース１−４）PON区間のリンクが断である場合
最後に、OLT２とのリンクが断となった場合の動作について説明する。OLT２とONU４との間では、リンクを維持するために、定期的にお互いのPON制御部からの問合せフレームおよび問合せ応答フレームをやり取りしてその内容を確認し、リンクが維持されている場合にのみデータ通信を行う。
【００４９】
ONU４の低消費化ブロック決定部４８は、一定の時間にわたり上記問合せフレームを検出しない場合には、リンクを確認できないので、OLT２との通信制御に必要なブロックである、フレーム多重部４２，光送信部４３，光受信部４４，フレーム分離部４５，PON制御部４６、のみを残し、他のブロックを低消費電力モードへ遷移させるブロックに決定し、その旨を低消費指示・解除部４９に通知する。
【００５０】
ONU４の低消費指示・解除部４９は、PONのリンク（OLT２との間のリンク）が回復するまで、該当のブロックに対し低消費電力モードへ遷移するよう指示する。低消費化ブロック決定部４８は、リンクが回復し、光受信部４４およびフレーム分離部４５を介してOLT２からの問合せフレームを受信すると、遷移解除の指示を発行し、これを受けた低消費指示・解除部４９が、各部を活性化させる指示を出す。これにより、OLT２とのリンクを回復可能な状態を維持したまま、リンクがない状態に応じた低消費電力効果が得られる。
【００５１】
以上説明したように、本実施の形態では、ONUからOLTへの上りトラヒックをONUが監視してOLTに報告し、下りトラヒックをOLTが監視することとし、これらの監視結果により、OLTにおいて低消費電力モードへ遷移させるONUおよび通信方向を決定し、ONUに指示する構成とした。また、これを受けたONUが、指定された通信方向に応じた機能部を一定時間にわたり低消費電力モードへ遷移させる構成とした。また、OLTにおいて、当該一定時間が経過するまではリンク確認の処理を停止させ、リンク断とみなされることを回避する構成とした。さらに、ONUにおいてリンクが確認できない場合には、リンクを行う機能を維持したまま、その他の機能を低消費電力モードへ遷移させる構成とした。これにより、OLTとONUとの間のリンクを維持したまま、またはリンク可能な状態を維持したままで、ONUにおける消費電力を低減させることが可能となる。
【００５２】
実施の形態２．
実施の形態１では、OLTにおいてONUとの間の上り方向および下り方向のトラヒックを監視し、ONUからの上り方向トラヒックについては、ONUが監視し、OLTに報告することとした。本実施の形態では、上りトラヒックをOLTにおいて監視する場合を説明する。
【００５３】
図２は、本実施の形態におけるPONシステムの構成例を示す図である。図２の構成は、図１の構成と比較すると、OLT２に代えてOLT２Ｂを備え、ONU４に代えてONU４Ｂを備える。ONU４Ｂは、上りトラヒック監視部４７を備えず、代わりに、OLT２Ｂが上りトラヒック監視部３０を備える。上りトラヒック監視部３０は、ONU４Ｂからの上りトラヒックを監視する目的で設けられる。
【００５４】
OLT２Ｂの上りトラヒック監視部３０は、光受信部２４およびフレーム分離部２５を介して上位装置１へ転送されるユーザフレームを監視する。これにより、トラヒック監視部３０は、図１の上りトラヒック監視部４７と同等の機能を果たす。
【００５５】
つづいて、以上のように構成されたPONシステムにおける動作について説明する。ここでは、ONU４ＢからOLT２Ｂへの上りトラヒックのみが停止した場合を例に説明する。
【００５６】
OLT２Ｂの上りトラヒック監視部３０は、光受信部２４およびフレーム分離部２５を介して上位装置１へ転送されるユーザフレームを監視し、一定期間にわたりユーザフレームを検出しない場合には、上りトラヒックがないと判断して、その旨を低消費化決定部２９に通知する。これを受けた低消費化決定部２９は、該当のONU（ONU４Ｂ）に対する上り方向のみを低消費電力モードへ遷移させることを決定し、その旨を通知するようPON制御部２６に指示する。PON制御部２６は、上り方向について低消費電力モードへ遷移すべき旨を指示する遷移指示フレームを、ONU４Ｂへ送信する。
【００５７】
ONU４Ｂでは、実施の形態１の「ケース１−３」同様に、低消費電力モードへ遷移させる処理を行う。その後も、上述同様、ONU４Ｂにおける低消費電力稼働時間が満了すると、ONU４Ｂの低消費指示・解除部４９は、低消費電力モード解除を指示し、各ブロックを活性化させる。一方、OLT２Ｂにおいて、ONU４Ｂが低消費電力モードへ遷移している時間が満了すると、PON制御部２６は、該当ONU（ONU４）への定期的な問い合わせを再開することでリンク監視を再開させる。
【００５８】
以上説明したように、本実施の形態では、ONUからOLTへの上りトラヒックおよび、OLTからONUへの下りトラヒックの双方をOLTが監視することとし、これらの監視結果により、OLTにおいて低消費電力モードへ遷移させるONUおよび通信方向を決定し、ONUに指示する構成とした。この場合にも、実施の形態１と同様、OLTとONUとの間のリンクを維持したまま、またはリンク可能な状態を維持したままで、ONUにおける消費電力を低減させることが可能となる。
【００５９】
実施の形態３．
実施の形態１および２では、OLT側において、低消費電力化するONUとその通信方向とを決定することとした。本実施の形態では、低消費電力化するか否か、およびその通信方向を、ONUにおいて決定する場合を説明する。
【００６０】
図３は、本実施の形態におけるPONシステムの構成例を示す図である。図３の構成は、図１の構成と比較すると、OLT２Ｃにおいて低消費化決定部２９を備えず、また、ONU４Ｃにおいて、低消費化ブロック決定部４８の代わりに低消費化ブロック決定部４８Ｃを備える点が異なる。低消費化ブロック決定部４８Ｃは、低消費化ブロック決定部４８の機能に加え、低消費電力化する通信方向をも決定する機能を備える。
【００６１】
つづいて、以上のように構成されたPONシステムにおける動作について説明する。以下、PON区間のリンクの状態と、上りおよび下りトラヒックの状態とに基づいて、場合を分けて説明する。
【００６２】
（ケース２−１）PON区間のリンクが確立された状態であって、かつ、上り下りともにトラヒックがない場合。
OLT２Ｃの下りトラヒック監視部２７は、上位装置１からONU４Ｃへ宛てた下り方向のトラヒックが一定期間ないことを検出すると、その旨をPON制御部２６に通知する。PON制御部２６は、フレーム多重部２２および光送信部２３を用いて、その旨を通知する制御フレーム（以下、「トラヒック通知フレーム」という）をONU４Ｃへ送信する。
【００６３】
ONU４Ｃの低消費化ブロック決定部４８Ｃは、光受信部４４およびフレーム分離部４５を介して当該トラヒック通知フレームを受信する。一方、ONU４Ｃの上りトラヒック監視部４７は、バッファ部４１を監視し、TE１０からのトラヒックが一定期間ないことを検出すると、その旨を低消費化ブロック決定部４８Ｃに通知する。低消費化ブロック決定部４８Ｃは、このようにして、OLT２Ｃから下りトラヒックがない旨、およびTE１０からのトラヒックがない旨の通知を受信している場合には、OLT２Ｃに対する上りおよび下りの両通信方向について低消費電力モードへ遷移することを決定し、その旨をOLT２Ｃへ報告することをPON制御部へ指示する。PON制御部は、当該内容（低消費電力モードへ遷移する旨，および遷移する通信方向）を載せた制御フレーム（以下、「遷移宣言フレーム」という）をOLT２Ｃへ送信する。
【００６４】
ONU４Ｃの低消費化ブロック決定部４８Ｃは、当該遷移宣言フレームの送信を指示した後で、自律的に、OLT２Ｃからのデータを受信しTE１０へ送信するブロック，TE１０からのデータを受信してOLT２Ｃへ送信するブロック，OLT２Ｃと自ONU４Ｃとの通信制御に必要なブロック、を低消費電力モードへ遷移させる。すなわち、フレーム多重部４２，光送信部４３，光受信部４４，フレーム分離部４５，PON制御部４６，上りトラヒック監視部４７，低消費化ブロック決定部４８Ｃ、を低消費電力モードへ遷移させると決定し、その旨を低消費指示・解除部４９に通知する。
【００６５】
ONU４Ｃの低消費指示・解除部４９は、たとえば、予めPONシステムで決定され自装置に設定されている時間である低消費電力稼動時間を指定して、上記ブロックに対し、低消費電力モードへ遷移するよう指示する。
【００６６】
一方、OLT２ＣのPON制御部２６は、光受信部２４およびフレーム分離部２５を介して当該遷移宣言フレームを受信すると、ONU４Ｃが低消費電力モードへ遷移することを認識する。また、PON制御部２６は、ONU４Ｃが低消費電力モードに遷移している間、自装置とONU４Ｃとの通信が中断することが予想できる。このため、PON制御部２６は、ONU４Ｃとの間のリンクを断としないように、予めPONシステムで決定され自OLT内に設定された時間（または、ONU４Ｃから受信した遷移宣言フレームに指定された時間）が経過するまで、リンクを監視する処理を停止する。すなわち、該当ONU（ONU４Ｃ）への定期的な問合せフレーム送信を停止し、リンク管理部２８が保持するリンク状態を維持する。
【００６７】
この間、OLT２Ｃでは、上位装置１から該当ONU（ONU４Ｃ）宛のトラヒックが到着した場合には、バッファ部２１に蓄積させておく。
【００６８】
同様に、ONU４Ｃでは、TE１０からOLT２Ｃ宛のトラヒックが到着した場合には、バッファ部４１に蓄積させておく。
【００６９】
ONU４Ｃにおいて低消費電力稼働時間が満了すると、ONU４Ｃの低消費指示・解除部４９は、上記各ブロックに対して低消費電力モードを解除する指示を送信し、各ブロックを活性化させる。また、OLT２Ｃにおいて低消費電力モード稼働時間が満了すると、OLT２ＣのPON制御部２６は、該当ONU（ONU４Ｃ）への定期的な問い合わせを再開させることで、リンク監視を再開させる。
【００７０】
これにより、ONU４Ｃにおいて上りおよび下りのトラヒックがない場合に、OLT２Ｃとの間のリンクを維持したまま、OLT２Ｃとの通信に不要なブロックを低消費電力化することが可能となる。また、低消費電力モードへ遷移している間に発生する上下トラヒックについては、下りトラヒックはOLT２Ｃのバッファ部２１で、上りトラヒックはONU４Ｃのバッファ部４１で蓄積し、低消費電力モード解除後に送受信するので、フレームロスが発生しないという効果が得られる。
【００７１】
（ケース２−２）PON区間のリンクが確立された状態であって、かつ、下りトラヒックのみがない場合。
つぎに、下りトラヒックのみが停止した場合の動作について説明する。OLT２Ｃの下りトラヒック監視部２７は、バッファ部２１のデータ蓄積状態を監視し、ONU４Ｃ宛のデータがない場合には、ONU４Ｃ宛のトラヒックがない旨をPON制御部２６に通知する。PON制御部２６は、ONU４Ｃに対する下り方向のトラヒックがない旨を通知するトラヒック通知フレームを、フレーム多重部２２および光送信部２３を介してONU４Ｃへ送信する。
【００７２】
ONU４Ｃの低消費化ブロック決定部４８Ｃは、上りトラヒック監視部４７から上りトラヒックがないことを通知されていない状態で、光受信部４４およびフレーム分離部４５を介して当該トラヒック通知フレームを受信すると、下りトラヒックのみがないと判断する。この場合、低消費化ブロック決定部４８Ｃは、OLT２Ｃからのデータを受信してTE１０へ送信するブロック、およびOLT２Ｃとの通信制御に必要なブロックを低消費電力モードへ遷移させることを決定する。すなわち、光受信部４４，フレーム分離部４５，PON制御部４６，上りトラヒック監視部４７，低消費化ブロック決定部４８Ｃ、を低消費電力モードへ遷移させるブロックと決定し、その旨を低消費指示・解除部４９に通知する。また、低消費電力モードへ遷移する旨をOLT２Ｃへ報告することをPON制御部４６へ指示する。PON制御部４６は、当該内容を載せた遷移宣言フレームをOLT２Ｃへ送信する。
【００７３】
ONU４Ｃの低消費指示・解除部４９は、後述するOLT２Ｃからの上り送信許可を受信しだい、予めPONシステムで決められている時間、または自装置からOLT２Ｃへ送信する遷移宣言フレーム内で指定した時間である低消費電力稼動時間を指定して、該当ブロックに対し、低消費電力モードへ遷移するよう指示する。
【００７４】
OLT２ＣのPON制御部２６は、上記遷移宣言フレームを受信すると、ONU４Ｃが低消費電力モードへ遷移することを認識する。OLT２Ｃは、ONU４Ｃが低消費電力モードに遷移している間、ONU４Ｃとの通信が中断することが予想できる。このため、PON制御部２６は、ONU４Ｃとの間のリンクを断としないように、予めPONシステムにて決定され自OLT内に設定された時間（または、ONU４Ｃから受信する遷移宣言フレーム内に記載された時間）が経過するまで、リンクを監視する処理、すなわち、該当ONU（ONU４Ｃ）への定期的な問合せフレーム送信の処理を停止する。
【００７５】
ところで、ONU４Ｃにおいて、下りトラヒックに関するブロックとともにOLT２Ｃとの制御情報のやり取りに関するブロックを低消費電力モードに遷移させることにより、ONU４Ｃは、上りデータが発生しても問合せ応答フレームを送信できないため、上りの送信許可を得られないこととなる。したがって、OLT２ＣのPON制御部２６は、上記低消費電力稼動時間などに応じて、自身が保持するこれまでの統計情報や最低帯域保障情報などを用いて、将来の上り送信許可をONU４Ｃへ送信する。ONU４Ｃの低消費化ブロック決定部４８Ｃは、光受信部４４およびフレーム分離部４５を介して当該上り送信許可を受信しだい、低消費指示・解除部４９に、低消費電力モードへの遷移を指示する。
【００７６】
また、ONU４Ｃが低消費電力モードに遷移している間、OLT２Ｃでは、上位装置１から該当ONU（ONU４Ｃ）宛のトラヒックが到着した場合には、バッファ部２１に蓄積させておく。
【００７７】
ONU４Ｃにおける低消費電力稼働時間が満了すると、ONU４Ｃの低消費指示・解除部４９は、上記各ブロックに対して低消費電力モード解除を指示し、各ブロックを活性化させる。一方、OLT２ＣのPON制御部２６は、ONU４Ｃが低消費電力モードへ遷移している時間が満了すると、該当ONU（ONU４Ｃ）への定期的な問合せフレームの送信を再開することでリンク監視を再開させる。
【００７８】
これにより、下りトラヒックがない場合において、実施の形態１と同様の効果が得られる。
【００７９】
（ケース２−３）PON区間のリンクが確立された状態であって、かつ、上りトラヒックのみがない場合。
つぎに、上りトラヒックのみが停止した場合の動作について説明する。ONU４Ｃの上りトラヒック監視部４７は、バッファ部４１におけるデータ蓄積量を監視し、TE１０からの上りデータが一定時間にわたってない場合には、上りデータがないことを検出し、低消費化ブロック決定部４８Ｃにその旨を通知する。低消費化ブロック決定部４８Ｃは、OLT２Ｃからのトラヒック通知フレームにより下りトラヒックがない旨を通知されていない場合であって、当該通知を受けた場合には、上りトラヒックのみがないと判断する。したがって、低消費化ブロック決定部４８Ｃは、OLT２Ｃに対する上り方向を低消費電力モードに遷移させることを決定し、その旨を通知する遷移宣言フレームを送信するようPON制御部４６に指示する。これを受けたPON制御部４６は、光受信部４４およびフレーム分離部４５を介して、OLT２Ｃに遷移宣言フレームを送信する。
【００８０】
また、ONU４Ｃの低消費化ブロック決定部４８Ｃは、予め決められた時間、またはOLT２Ｃへ送信した遷移宣言フレーム内に記載した時間である低消費電力稼動時間にわたり、TE１０からのデータをOLT２Ｃへ送信するブロック、およびOLT２Ｃとの間の通信制御に必要なブロックを遷移させることを決定する。すなわち、フレーム多重部４２，光送信部４３，PON制御部４６，上りトラヒック監視部４７，低消費化ブロック決定部４８Ｃ、を低消費電力モードへ遷移させるブロックとして決定し、その旨を低消費指示・解除部４９に通知する。
【００８１】
低消費指示・解除部４９は、該当ブロックに対して、上記低消費電力稼動時間を指定し、低消費電力モードへ遷移するよう指示する。
【００８２】
OLT２ＣのPON制御部２６は、上記遷移宣言フレームを受信すると、ONU４Ｃが低消費電力モードへ遷移することを認識する。また、PON制御部２６は、ONU４Ｃが低消費電力モードに遷移している間、自装置とONU４Ｃとの通信が中断することが予想できる。このため、PON制御部２６は、ONU４Ｃとの間のリンクを断としないように、予めPONシステムで決定され自OLT内に設定された時間（または、ONU４Ｃから受信した遷移宣言フレームに指定された時間）が経過するまで、リンクを監視する処理を停止する。すなわち、該当ONU（ONU４Ｃ）への定期的な問合せフレーム送信を停止し、リンク管理部２８が保持するリンク状態を維持する。
【００８３】
低消費電力稼働時間が経過するまでの間、ONU４ＣにおいてTE１０からOLT２Ｃへ宛てたトラヒックが到着した場合には、バッファ部４１がデータを蓄積する。低消費電力稼働時間が満了すると、ONU４Ｃの低消費指示・解除部４９は、上記各ブロックに対して低消費電力モード解除を指示し、各ブロックを活性化させる。一方、OLT２Ｃにおいて、ONU４Ｃが低消費電力モードへ遷移している時間が満了すると、PON制御部２６は、該当ONU（ONU４Ｃ）への定期的な問合せフレーム送信を再開することでリンク監視を再開させる。
【００８４】
これにより、ONUからの上りトラヒックがない場合において、実施の形態１と同様の効果が得られる。
【００８５】
なお、上記上りのみトラヒックが停止した場合の動作では、OLTから該当ONUへの定期的な問合せ処理を停止させることとしたが、リンク管理部２８においてリンクを維持しつつ、定期的な問合せを継続して実施してもよい。具体的な動作は上述同様である。
【００８６】
（ケース２−４）PON区間のリンクが断である場合
最後に、OLT２Ｃとのリンクが断となった場合の動作について説明する。OLT２ＣとONU４Ｃとの間では、上述した様に、リンクを維持するために、定期的にお互いのPON制御部間で問合せフレームおよび問合せ応答フレームをやり取りしてその内容を確認し、リンクが維持されている場合にのみデータ通信を行う。
【００８７】
ONU４Ｃの低消費化ブロック決定部４８Ｃは、一定の時間にわたり上記問合せフレームを検出しない場合には、OLT２Ｃとの通信制御に必要なブロックである、フレーム多重部４２，光送信部４３，光受信部４４，フレーム分離部４５，PON制御部４６、のみを残し、他のブロックを低消費電力モードへ遷移させるブロックに決定し、その旨を低消費指示・解除部４９に通知する。
【００８８】
低消費指示・解除部４９は、PONのリンク（OLT２Ｃとの間のリンク）が回復するまで、該当のブロックに対し低消費電力モードへ遷移するよう指示する。ONU４Ｃの低消費化ブロック決定部４８Ｃは、リンクが回復し、光受信部４４およびフレーム分離部４５を介してOLT２Ｃから問合せフレームを受信すると、低消費指示・解除部４９へ解除の指示を行う。これを受けた低消費指示・解除部４９は、各ブロックに対し遷移解除の指示を出し、各部を活性化させる。
【００８９】
これにより、OLT２Ｃとの間のリンクが断となった場合にも、実施の形態１と同様の効果が得られる。
【００９０】
以上説明したように、本実施の形態では、ONUからOLTへの上りトラヒックをONUが監視し、OLTからONUへの下りトラヒックをOLTが監視することとし、これらの監視結果により、ONUにおいて低消費電力モードへ遷移させる通信方向およびブロックを決定する構成とした。この場合にも、実施の形態１および２と同様、OLTとONUとの間のリンクを維持したまま、またはリンク可能な状態を維持したままで、ONUにおける消費電力を低減させることが可能となる。
【００９１】
実施の形態４．
実施の形態３では、OLTにおいてONUとの間の下りトラヒックを監視することとした。本実施の形態では、下りトラヒックをONUで監視する場合を説明する。
【００９２】
図４は、本実施の形態におけるPONシステムの構成例を示す図である。図４の構成は、図３の構成と比較すると、OLT２Ｃに代えてOLT２Ｄを備え、ONU４Ｃに代えてONU４Ｄを備える。OLT２Ｄは、下りトラヒック監視部２７を備えず、代わりに、ONU４Ｄが下りトラヒック監視部５０を備える。下りトラヒック監視部５０は、OLT２Ｄからの上りトラヒックを監視する目的で設けられる。
【００９３】
OLT４Ｄの下りトラヒック監視部５０は、光受信部４４およびフレーム分離部４５を介してTE１０へ送信されるユーザフレームを監視する。これにより、下りトラヒック監視部５０は、図３の下りトラヒック監視部２７と同等の機能を果たす。
【００９４】
つづいて、以上のように構成されたPONシステムにおける動作について説明する。ここでは、OLT２ＤからONU４Ｄへの下りトラヒックのみが停止した場合を例に説明する。
【００９５】
ONU４Ｄの下りトラヒック監視部５０は、光受信部４４およびフレーム分離部４５を介してTE１０へ送信されるユーザフレームを監視し、一定期間にわたりユーザフレームを検出しない場合には、下りトラヒックがないと判断して、その旨を低消費化ブロック決定部４８Ｃに通知する。これを受けた低消費化ブロック決定部４８Ｃは、OLT２Ｄに対する上り方向のみを低消費電力モードへ遷移させることを決定し、その旨を通知するようPON制御部２６に指示する。PON制御２６は、上り方向について低消費電力モードへ遷移する旨を宣言する遷移宣言フレームを、OLT２Ｄへ送信する。
【００９６】
ONU４Ｄでは、実施の形態３の「ケース２−３」同様に、低消費電力モードへ遷移させる処理を行う。その後、ONU４Ｄにおける低消費電力稼働時間が満了すると、上述同様、ONU４Ｄの低消費指示・解除部４９は、低消費電力モード解除を指示し、各ブロックを活性化させる。一方、OLT２Ｄにおいて、ONU４Ｄが低消費電力モードへ遷移している時間が満了すると、PON制御部２６は、該当ONU（ONU４）への定期的な問合せフレームの送信を再開することでリンク監視を再開させる。
【００９７】
以上説明したように、本実施の形態では、ONUからOLTへの上りトラヒックおよび、OLTからONUへの下りトラヒックの双方をONUが監視することとし、これらの監視結果により、ONUにおいて低消費電力モードへ遷移させる通信方向およびブロックを決定する構成とした。この場合にも、実施の形態３と同様、OLTとONUとの間のリンクを維持したまま、またはリンク可能な状態を維持したままで、ONUにおける消費電力を低減させることが可能となる。
【産業上の利用可能性】
【００９８】
以上のように、本発明にかかるＰＯＮシステムは、リアルタイム性が必要とされるサービスを提供するＰＯＮシステムに有用であり、特に、データ通信を行わない間もリンクを維持する場合に適している。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき前記ＯＮＵが低消費電力モードで動作し
ているときに、該ＯＬＴと該ＯＮＵとの間のリンク状態を維持し、
前記ＯＮＵの上り方向通信の動作モードが低消費電力モードである場合に、該ＯＮＵへ上り帯域を割当てること
を特徴とするＯＬＴ。
【請求項２】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持し、
前記ＯＮＵの上り方向通信の動作モードが低消費電力モードである場合に、該ＯＮＵに対して上り帯域割当てに関する問合せを行い、前記問合せに対する前記ＯＮＵからの応答に基づき該ＯＮＵへ上り帯域を割当てること
を特徴とするＯＬＴ。
【請求項３】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持し、
前記ＯＮＵの上り方向通信の動作モードが低消費電力モードである場合に、該ＯＮＵに対して上り帯域割当てに関する問合せを行い、該ＯＮＵから送信された該ＯＮＵの低消費電力モードの解除に関するメッセージを前記問合せについて予め定められた応答可能期間に受信すること
を特徴とするＯＬＴ。
【請求項４】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵから受信した上りトラヒックに基づいて該ＯＮＵの低消費電
力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持すること
を特徴とするＯＬＴ。
【請求項５】
前記ＯＮＵの上り方向通信の動作モードが低消費電力モードであり、かつ、下り方向通信の動作モードが非低消費電力モードである場合に、該ＯＮＵへ下りトラヒックを転送すること
を特徴とする請求項１ないし請求項４のいずれか一項に記載のＯＬＴ。
【請求項６】
加入者側通信装置（以下、ＯＮＵという）と協働してＰＯＮシステムを構成し、前記ＯＮＵとのリンク状態を制御する制御部および下りトラヒックを保持する保持部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持し、
前記保持部は、
前記ＯＮＵの上り方向通信及び下り方向通信の動作モードが低消費電力モードである場合に、該ＯＮＵが前記低消費電力モードに遷移している間、下りトラヒックを保持すること
を特徴とするＯＬＴ。
【請求項７】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づく前記低消費電力モードでの該ＯＮＵの動作期間が予め定められた期間に到達するまでの間、該ＯＬＴと該ＯＮＵとの間のリンク状態を維持し、前記低消費電力モードでの該ＯＮＵの動作期間が予め定められた期間に到達した場合に、前記リンク状態を切断するか否かの判断を行うこと
を特徴とするＯＬＴ。
【請求項８】
局側通信装置（以下、ＯＬＴという）と協働してＰＯＮシステムを構成する加入者側通信装置（以下、ＯＮＵという）において、
前記ＯＮＵは、
前記ＯＬＴと該ＯＮＵとが相互にリンクされている状態で前記ＯＬＴより送信される該ＯＮＵの動作モードに関する制御信号を受信し、該制御信号に基いて低消費電力モードへ遷移し、
前記低消費電力モードへ遷移した後のＯＮＵは、
該ＯＮＵと前記ＯＬＴとが相互にリンク維持されている状態で低消費電力モードでの動作をし、
上り方向通信の動作モードが低消費電力モードであり、かつ、下り方向通信の動作モードが非低消費電力モードである場合に、前記ＯＬＴから送信された下りトラヒックを受信すること
を特徴とするＯＮＵ。
【請求項９】
上り方向通信の動作モードが低消費電力モードである場合に、該ＯＮＵによる解除の決定に基づき該ＯＮＵの低消費電力モードの状態を解除すること
を特徴とする請求項８に記載のＯＮＵ。
【請求項１０】
前記低消費電力モードの状態を解除したＯＮＵは、該ＯＮＵの低消費電力モードを解除した旨を前記ＯＬＴへ送信すること
を特徴とする請求項９に記載のＯＮＵ。
【請求項１１】
局側通信装置（以下、ＯＬＴという）および加入者側通信装置（以下、ＯＮＵという）を備え、前記ＯＬＴ及び前記ＯＮＵ間がリンクされている状態で通信を行う通信システムにおいて、
前記ＯＬＴは、
前記ＯＮＵの低消費電力モードへの遷移に関する制御信号を生成する生成手段と、
前記生成手段により生成された前記制御信号を該ＯＮＵへ送信する送信手段と、
前記送信手段により送信された前記制御信号に基づく前記ＯＮＵの上り方向通信の動作モードが低消費電力モードである場合に、該ＯＮＵへ上り帯域を割当てる制御部と、を備え、
前記ＯＮＵは、
前記ＯＬＴから送信された前記制御信号を受信する受信手段と、
前記受信手段により受信した前記制御信号に基づき低消費電力モードへの遷移を実行する遷移実行手段と、を備え、
前記ＯＬＴに備えられた前記制御部は、前記低消費電力モードへ遷移したＯＮＵが低消費電力モードで動作しているときに、前記ＯＬＴ及び該ＯＮＵ間のリンク状態の切断を抑制すること
を特徴とする通信システム。
【請求項１２】
局側通信装置（以下、ＯＬＴという）および加入者側通信装置（以下、ＯＮＵという）を備え、前記ＯＬＴ及び前記ＯＮＵ間がリンクされている状態で通信を行う通信システムの通信方法において、
前記ＯＬＴが前記ＯＮＵの低消費電力モードへの遷移に関する制御信号を生成する第１のステップと、
前記第１のステップにより生成された前記制御信号を該ＯＬＴが前記ＯＮＵへ送信する第２のステップと、
前記第２のステップにより送信された前記制御信号を前記ＯＮＵが受信する第３のステップと、
前記第３のステップにより受信された前記制御信号に基き前記ＯＮＵが低消費電力モードへ遷移する第４のステップと、
前記第４のステップにより低消費電力モードへ遷移した前記ＯＮＵが低消費電力モードで動作しているときに、該ＯＮＵ及び前記ＯＬＴ間のリンクの切断を抑制する第５のステップと、
前記第３のステップにより受信された前記制御信号に基づく前記ＯＮＵの上り方向通信の動作モードが低消費電力モードである場合に、前記ＯＬＴが該ＯＮＵに上り帯域を割当てる第６のステップと、
を備えたこと特徴とする通信方法。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき前記ＯＮＵが低消費電力モードで動作しているときに、該ＯＬＴと該ＯＮＵとの間のリンク状態を維持し、
前記ＯＮＵの上り方向通信の動作モードが低消費電力モードである場合に、該ＯＮＵへ上り帯域を割当てること
を特徴とするＯＬＴ。
【請求項２】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持し、
前記ＯＮＵの上り方向通信の動作モードが低消費電力モードである場合に、該ＯＮＵに対して上り帯域割当てに関する問合せを行い、前記問合せに対する前記ＯＮＵからの応答に基づき該ＯＮＵへ上り帯域を割当てること
を特徴とするＯＬＴ。
【請求項３】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵの低消費電力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持し、
前記ＯＮＵの上り方向通信の動作モードが低消費電力モードである場合に、該ＯＮＵに対して上り帯域割当てに関する問合せを行い、該ＯＮＵから送信された該ＯＮＵの低消費電力モードの解除に関するメッセージを前記問合せについて予め定められた応答可能期間に受信すること
を特徴とするＯＬＴ。
【請求項４】
加入者側通信装置（以下、ＯＮＵという）と協働してＰＯＮシステムを構成し、前記ＯＮＵとのリンク状態を制御する制御部を有する局側通信装置（以下、ＯＬＴという）において、
前記制御部は、
前記ＯＮＵから受信した上りトラヒックに基づいて該ＯＮＵの低消費電力モードへの遷移に関する制御信号を生成し、
生成された前記制御信号を該ＯＮＵへ送信し、
該制御部から送信された前記制御信号に基づき該ＯＮＵが低消費電力モードで動作しているときに、該ＯＬＴと該ＯＮＵとの間のリンク状態を維持すること
を特徴とするＯＬＴ。
【請求項５】
前記ＯＮＵの上り方向通信の動作モードが低消費電力モードであり、かつ、下り方向通信の動作モードが非低消費電力モードである場合に、該ＯＮＵへ下りトラヒックを転送すること
を特徴とする請求項１ないし請求項４のいずれか一項に記載のＯＬＴ。
【請求項６】
局側通信装置（以下、ＯＬＴという）と協働してＰＯＮシステムを構成する加入者側通信装置（以下、ＯＮＵという）において、
前記ＯＮＵは、
前記ＯＬＴと該ＯＮＵとが相互にリンクされている状態で前記ＯＬＴより送信される該ＯＮＵの動作モードに関する制御信号を受信し、該制御信号に基いて低消費電力モードへ遷移し、
前記低消費電力モードへ遷移した後のＯＮＵは、
該ＯＮＵと前記ＯＬＴとが相互にリンク維持されている状態で低消費電力モードでの動作をし、
上り方向通信の動作モードが低消費電力モードであり、かつ、下り方向通信の動作モー
ドが非低消費電力モードである場合に、前記ＯＬＴから送信された下りトラヒックを受信すること
を特徴とするＯＮＵ。
【請求項７】
上り方向通信の動作モードが低消費電力モードである場合に、該ＯＮＵによる解除の決定に基づき該ＯＮＵの低消費電力モードの状態を解除すること
を特徴とする請求項６に記載のＯＮＵ。
【請求項８】
前記低消費電力モードの状態を解除したＯＮＵは、該ＯＮＵの低消費電力モードを解除した旨を前記ＯＬＴへ送信すること
を特徴とする請求項７に記載のＯＮＵ。
【請求項９】
局側通信装置（以下、ＯＬＴという）および加入者側通信装置（以下、ＯＮＵという）を備え、前記ＯＬＴ及び前記ＯＮＵ間がリンクされている状態で通信を行う通信システムにおいて、
前記ＯＬＴは、
前記ＯＮＵの低消費電力モードへの遷移に関する制御信号を生成する生成手段と、
前記生成手段により生成された前記制御信号を該ＯＮＵへ送信する送信手段と、
前記送信手段により送信された前記制御信号に基づく前記ＯＮＵの上り方向通信の動作
モードが低消費電力モードである場合に、該ＯＮＵへ上り帯域を割当てる制御部と、を備え、
前記ＯＮＵは、
前記ＯＬＴから送信された前記制御信号を受信する受信手段と、
前記受信手段により受信した前記制御信号に基づき低消費電力モードへの遷移を実行する遷移実行手段と、を備え、
前記ＯＬＴに備えられた前記制御部は、前記低消費電力モードへ遷移したＯＮＵが低消費電力モードで動作しているときに、前記ＯＬＴ及び該ＯＮＵ間のリンク状態の切断を抑制すること
を特徴とする通信システム。
【請求項１０】
局側通信装置（以下、ＯＬＴという）および加入者側通信装置（以下、ＯＮＵという）を備え、前記ＯＬＴ及び前記ＯＮＵ間がリンクされている状態で通信を行う通信システムの通信方法において、
前記ＯＬＴが前記ＯＮＵの低消費電力モードへの遷移に関する制御信号を生成する第１のステップと、
前記第１のステップにより生成された前記制御信号を該ＯＬＴが前記ＯＮＵへ送信する第２のステップと、
前記第２のステップにより送信された前記制御信号を前記ＯＮＵが受信する第３のステップと、
前記第３のステップにより受信された前記制御信号に基き前記ＯＮＵが低消費電力モードへ遷移する第４のステップと、
前記第４のステップにより低消費電力モードへ遷移した前記ＯＮＵが低消費電力モードで動作しているときに、該ＯＮＵ及び前記ＯＬＴ間のリンクの切断を抑制する第５のステップと、
前記第３のステップにより受信された前記制御信号に基づく前記ＯＮＵの上り方向通信の動作モードが低消費電力モードである場合に、前記ＯＬＴが該ＯＮＵに上り帯域を割当てる第６のステップと、
を備えたことを特徴とする通信方法。
【手続補正２】
【補正対象書類名】明細書
【補正対象項目名】００１１
【補正方法】変更
【補正の内容】
【００１１】
上述した課題を解決し、目的を達成するために、本発明の局側通信装置は、加入者側通信装置（以下、ＯＮＵという）と協働してＰＯＮシステムを構成し、ＯＮＵとのリンク状態を制御する制御部を有する局側通信装置（以下、ＯＬＴという）において、制御部は、ＯＮＵの低消費電力モードへの遷移に関するメッセージを生成し、生成された制御信号をＯＮＵへ送信し、制御部から送信された制御信号に基づきＯＮＵが低消費電力モードで動作しているときに、ＯＬＴとＯＮＵとの間のリンク状態を維持し、ＯＮＵの上り方向通信の動作モードが低消費電力モードである場合に、ＯＮＵへ上り帯域を割当てること、を特徴とする。
また、この発明の局側通信装置は、加入者側通信装置（以下、ＯＮＵという）と協働してＰＯＮシステムを構成し、ＯＮＵとのリンク状態を制御する制御部を有する局側通信装置（以下、ＯＬＴという）において、制御部は、ＯＮＵの低消費電力モードへの遷移に関する制御信号を生成し、生成された制御信号をＯＮＵへ送信し、制御部から送信された制御信号に基づきＯＮＵが低消費電力モードで動作しているときに、ＯＬＴとＯＮＵとの間のリンク状態を維持し、ＯＮＵの上り方向通信の動作モードが低消費電力モードである場合に、ＯＮＵに対して上り帯域割当てに関する問合せを行い、問合せに対するＯＮＵからの応答に基づきＯＮＵへ上り帯域を割当てること、を特徴とする。
また、この発明の局側通信装置は、加入者側通信装置（以下、ＯＮＵという）と協働してＰＯＮシステムを構成し、ＯＮＵとのリンク状態を制御する制御部を有する局側通信装置（以下、ＯＬＴという）において、制御部は、ＯＮＵの低消費電力モードへの遷移に関する制御信号を生成し、生成された制御信号をＯＮＵへ送信し、制御部から送信された制御信号に基づきＯＮＵが低消費電力モードで動作しているときに、ＯＬＴとＯＮＵとの間のリンク状態を維持し、ＯＮＵの上り方向通信の動作モードが低消費電力モードである場合に、ＯＮＵに対して上り帯域割当てに関する問合せを行い、ＯＮＵから送信されたＯＮＵの低消費電力モードの解除に関するメッセージを問合せについて予め定められた応答可能期間に受信すること、を特徴とする。
また、この発明の局側通信装置は、加入者側通信装置（以下、ＯＮＵという）と協働してＰＯＮシステムを構成し、ＯＮＵとのリンク状態を制御する制御部を有する局側通信装置（以下、ＯＬＴという）において、制御部は、ＯＮＵから受信した上りトラヒックに基づいてＯＮＵの低消費電力モードへの遷移に関する制御信号を生成し、生成された制御信号をＯＮＵへ送信し、制御部から送信された制御信号に基づきＯＮＵが低消費電力モードで動作しているときに、ＯＬＴとＯＮＵとの間のリンク状態を維持すること、を特徴とする。
【手続補正３】
【補正対象書類名】明細書
【補正対象項目名】００１２
【補正方法】変更
【補正の内容】
【００１２】
この発明の加入者側通信装置は、局側通信装置（以下、ＯＬＴという）と協働してＰＯＮシステムを構成する加入者側通信装置（以下、ＯＮＵという）において、ＯＮＵは、ＯＬＴとＯＮＵとが相互にリンクされている状態でＯＬＴより送信されるＯＮＵの動作モードに関する制御信号を受信し、制御信号に基いて低消費電力モードへ遷移し、低消費電力モードへ遷移した後のＯＮＵは、ＯＮＵとＯＬＴとが相互にリンク維持されている状態で、低消費電力モードでの動作をし、上り方向通信の動作モードが低消費電力モードであり、かつ、下り方向通信の動作モードが非低消費電力モードである場合に、ＯＬＴから送信された下りトラヒックを受信すること、を特徴とする。
【手続補正４】
【補正対象書類名】明細書
【補正対象項目名】００１３
【補正方法】変更
【補正の内容】
【００１３】
この発明の通信システムは、局側通信装置（以下、ＯＬＴという）および加入者側通信装置（以下、ＯＮＵという）を備え、ＯＬＴ及びＯＮＵ間がリンクされている状態で通信を行う通信システムにおいて、ＯＬＴは、ＯＮＵの低消費電力モードへの遷移に関する制御信号を生成する生成手段と、生成手段により生成された制御信号をＯＮＵへ送信する送信手段と、送信手段により送信された制御信号に基づくＯＮＵの上り方向通信の動作モードが低消費電力モードである場合に、ＯＮＵへ上り帯域を割当てる制御部と、を備え、ＯＮＵは、ＯＬＴから送信された制御信号を受信する受信手段と、受信手段により受信した制御信号に基づき低消費電力モードへの遷移を実行する遷移実行手段と、を備え、ＯＬＴに備えられた制御部は、低消費電力モードへ遷移したＯＮＵが低消費電力モードで動作しているときに、ＯＬＴ及びＯＮＵ間のリンク状態の切断を抑制すること、を特徴とする。
【手続補正５】
【補正対象書類名】明細書
【補正対象項目名】００１４
【補正方法】変更
【補正の内容】
【００１４】
この発明の通信方法は、局側通信装置（以下、ＯＬＴという）および加入者側通信装置（以下、ＯＮＵという）を備え、ＯＬＴ及びＯＮＵ間がリンクされている状態で通信を行う通信システムの通信方法において、ＯＬＴがＯＮＵの低消費電力モードへの遷移に関する制御信号を生成する第１のステップと、第１のステップにより生成された制御信号をＯＬＴがＯＮＵへ送信する第２のステップと、第２のステップにより送信された制御信号をＯＮＵが受信する第３のステップと、第３のステップにより受信された制御信号に基きＯＮＵが低消費電力モードへ遷移する第４のステップと、第４のステップにより低消費電力モードへ遷移したＯＮＵが低消費電力モードで動作しているときに、ＯＮＵ及びＯＬＴ間のリンクの切断を抑制する第５のステップと、第３のステップにより受信された制御信号に基づくＯＮＵの上り方向通信の動作モードが低消費電力モードである場合に、ＯＬＴがＯＮＵに上り帯域を割当てる第６のステップと、を備えたことを特徴とする。
【国際調査報告】
2010143258.tif 000007
2010143258.tif 000008
2010143258.tif 000009
2010143258.tif 000010